(57)【要約】【課題】本発明は、スピーカ装置１の使い勝手を向上させる。【解決手段】本発明は、スピーカ装置１において首の後から胸側に亘って掛けられる首掛部２の一端よりも首の後側に位置する中央部分寄りに右スピーカ部５を配置すると共に、当該首掛部２の他端よりも中央部分寄りに左スピーカ部７を配置し、首掛部２が首の後から胸側に亘って掛けられたときに右肩に右スピーカ部５を載上し、左肩に左スピーカ部７を載上することにより、首掛部２が首の後から胸側に亘って掛けられた場合に右スピーカ部５及び左スピーカ部７を右肩及び左肩に載上して体に密着させ、腕や頭部等が動かされても右スピーカ部５及び左スピーカ部７に手や顎等がぶつかって動作の邪魔になることを回避することができ、かくしてスピーカ装置１の使い勝手を向上させることができる。【選択図】図１０
2008263374.tif 000002
【特許請求の範囲】
【請求項１】
首の後から胸側に亘って掛けられる首掛部と、
上記首掛部の上記胸側に位置する一端及び又は他端よりも上記首の後側に位置する中央部分寄りに配置され、上記首掛部が上記首の後から上記胸側に亘って掛けられたときに肩に載上される１又は複数のスピーカ部と
を具えることを特徴とするスピーカ装置。
【請求項２】
上記首掛部に対する上記スピーカ部の配置位置を調整可能な位置調整部
を具えることを特徴とする請求項１に記載のスピーカ装置。
【請求項３】
上記位置調整部は、
上記首掛部に上記スピーカ部を当該首掛部に沿って移動可能に保持させる保持部と、
上記保持部を介して上記首掛部の所望の配置位置に移動された上記スピーカ部を当該所望の配置位置に固定する固定部と
を具えることを特徴とする請求項２に記載のスピーカ装置。
【請求項４】
上記位置調整部は、
上記首掛部の伸縮可能に形成された上記中央部分でなる
ことを特徴とする請求項２に記載のスピーカ装置。
【請求項５】
上記首掛部は、
それぞれ異なるチャンネルの音声を出力する複数の上記スピーカ部が配置される
ことを特徴とする請求項１に記載のスピーカ装置。
【請求項６】
上記首掛部は、
上記一端寄り及び上記他端寄りにそれぞれ１つの上記スピーカ部が配置されると共に、上記一端よりも上記中央部分寄り及び上記他端よりも上記中央部分寄りにもそれぞれ１つの上記スピーカ部が配置される
ことを特徴とする請求項５に記載のスピーカ装置。
【請求項７】
外部の再生装置から無線で送信された音声データを受信する受信部
を具え、
上記スピーカ部は、
上記受信部により受信された上記音声データに基づく音声を出力する
ことを特徴とする請求項１に記載のスピーカ装置。
【請求項８】
上記スピーカ部の底板に設けられた滑止部
を具えることを特徴とする請求項１に記載のスピーカ装置。
【請求項９】
上記スピーカ部のスピーカと外部の携帯型再生装置とを電気的に接続するスピーカケーブルと、
上記スピーカケーブルに取り付けられ、着衣を挟持するクリップと
を具えることを特徴とする請求項１に記載のスピーカ装置。
【請求項１０】
音声を出力する携帯型音声出力装置において、
首の後から胸側に亘って掛けられる首掛部と、
上記首掛部の上記胸側に位置する一端及び又は他端よりも上記首の後側に位置する中央部分寄りに配置され、上記首掛部が上記首の後から上記胸側に亘って掛けられたときに肩に載上される１又は複数のスピーカ部と
を具えることを特徴とする携帯型音声出力装置。
【請求項１１】
上記首掛部に対する上記スピーカ部の配置位置を調整可能な位置調整部
を具えることを特徴とする請求項１０に記載の携帯型音声出力装置。
【請求項１２】
上記位置調整部は、
上記首掛部に上記スピーカ部を当該首掛部に沿って移動可能に保持させる保持部と、
上記保持部を介して上記首掛部の所望の配置位置に移動された上記スピーカ部を当該所望の配置位置に固定する固定部と
を具えることを特徴とする請求項１１に記載の携帯型音声出力装置。
【請求項１３】
上記位置調整部は、
上記首掛部の伸縮可能に形成された上記中央部分でなる
ことを特徴とする請求項１１に記載の携帯型音声出力装置。
【請求項１４】
上記首掛部は、
それぞれ異なるチャンネルの音声を出力する複数の上記スピーカ部が配置される
ことを特徴とする請求項１０に記載の携帯型音声出力装置。
【請求項１５】
上記首掛部は、
上記一端寄り及び上記他端寄りにそれぞれ１つの上記スピーカ部が配置されると共に、上記一端よりも上記中央部分寄り及び上記他端よりも上記中央部分寄りにもそれぞれ１つの上記スピーカ部が配置される
ことを特徴とする請求項１４に記載の携帯型音声出力装置。
【請求項１６】
上記スピーカ部の底板に設けられた滑止部
を具えることを特徴とする請求項１０に記載の携帯型音声出力装置。
【請求項１７】
上記音声の音声データを記憶するデータ記憶部と、
上記データ記憶部に記録された上記音声データを再生処理する再生処理部と
を具え、
上記スピーカ部は、
上記データ記憶部及び上記再生処理部が収納される
ことを特徴とする請求項１０に記載の携帯型音声出力装置。
【発明の詳細な説明】
【技術分野】
【０００１】
本発明はスピーカ装置及び携帯型音声出力装置に関し、例えば２チャンネルステレオ用の一対のスピーカ部をユーザの肩に載上するスピーカ装置に適用して好適なものである。
【背景技術】
【０００２】
従来のスピーカ装置は、ユーザの首から両肩に亘って装着される連結体の両端部にスピーカユニットが設けられていた。そしてスピーカ装置は、連結体がユーザの首から両肩に亘って装着されたとき、スピーカユニットを、その背面側がユーザの鎖骨に対応する位置又はその近傍に接触する位置から前面側が耳介方向に向く所定位置までの間で回動させ得るようになされていた。これによりスピーカ装置は、連結体がユーザの首から両肩に亘って装着されたときにスピーカユニットが前面側を耳介方向に向ける所定位置まで回転されると、例えば音声データ再生用の携帯型再生装置により再生された音声データに基づく音声（以下、これを再生音声と呼ぶ）を、スピーカユニットの前面側から耳介に向けて放音させてユーザに聴かせていた（例えば、特許文献１参照）。
【特許文献１】特開平１０−２００９７７号公報（第４図、第６図）
【発明の開示】
【発明が解決しようとする課題】
【０００３】
ところで、最近、携帯型再生装置を使用する多数のユーザの中には、ジョギング中や自転車による走行中も携帯型再生装置を使用して再生音声を聴くユーザがいる。そして、かかる構成のスピーカ装置は、ユーザに対しヘッドホンやイヤホンのように耳を塞ぐようにして再生音声を聴かせるわけではないことにより、再生音声と共に、ユーザの周囲で発生している音（以下、これを周囲音と呼ぶ）も聴かせることができる。このためスピーカ装置は、ジョギング中や自転車による走行中に携帯型再生装置と共に使用されると、再生音声と共に、ユーザの周囲で発生した自動車の走行音やクラクション、緊急車両のサイレン等の周囲音も聴かせることができ、ユーザの安全が損なわれることを防止し得るようになされている。
【０００４】
ところが、かかる構成のスピーカ装置は、連結体がユーザの首から両肩に亘って装着され、スピーカユニットが前面側を耳介方向に向く所定位置まで回転されると、そのスピーカユニットをユーザの体の前に突出させて配置させる。このためスピーカ装置は、このように連結体がユーザの首から両肩に亘って装着され、スピーカユニットが前面側を耳介方向に向く所定位置まで回転された状態で、ユーザにより腕や頭部等が動かされると、体の前に突出しているスピーカユニットにユーザの手や顎等がぶつかって動作の邪魔になり、使い勝手が良いとは言い難い問題があった。
【０００５】
本発明は以上の点を考慮してなされたもので、使い勝手を向上し得るスピーカ装置及び携帯型音声出力装置を提案しようとするものである。
【課題を解決するための手段】
【０００６】
かかる課題を解決するため本発明においては、スピーカ装置及び携帯型音声出力装置に対し、首の後から胸側に亘って掛けられる首掛部と、当該首掛部の胸側に位置する一端及び又は他端よりも首の後側に位置する中央部分寄りに配置され、首掛部が首の後から胸側に亘って掛けられたときに肩に載上される１又は複数のスピーカ部とを設けるようにした。
【０００７】
従って本発明では、スピーカ装置及び携帯型音声出力装置において、首掛部がユーザの首の後から胸側に亘って掛けられた場合、スピーカ部を肩に載上させて体に密着させることができ、その結果、ユーザにより腕や頭部等が動かされても、手や顎等がスピーカ部にぶつかって動作の邪魔になることを回避することができる。
【発明の効果】
【０００８】
本発明によれば、スピーカ装置及び携帯型音声出力装置に対し、首の後から胸側に亘って掛けられる首掛部と、当該首掛部の胸側に位置する一端及び又は他端よりも首の後側に位置する中央部分寄りに配置され、首掛部が首の後から胸側に亘って掛けられたときに肩に載上される１又は複数のスピーカ部とを設けるようにしたことにより、首掛部がユーザの首の後から胸側に亘って掛けられた場合、スピーカ部を肩に載上させて体に密着させ、ユーザにより腕や頭部等が動かされても、手や顎等がスピーカ部にぶつかって動作の邪魔になることを回避することができ、かくして使い勝手を向上し得るスピーカ装置及び携帯型音声出力装置を実現することができる。
【発明を実施するための最良の形態】
【０００９】
以下図面について、本発明の一実施の形態を詳述する。
【００１０】
（１）第１の実施の形態
図１において、１は全体として第１の実施の形態によるスピーカ装置を示す。かかるスピーカ装置１は、樹脂材により略Ｕ字状に形成されたパイプでなる首掛部２を有している。この首掛部２は、Ｕ字の底に相当する弓形状の胴体部２Ａに繋がる一端（以下、これを首掛部一端と呼ぶ）側の腕部（以下、これを一端側腕部と呼ぶ）２Ｂと、当該胴体部２Ａに繋がる他端（以下、これを首掛部他端と呼ぶ）側の腕部（以下、これを他端側腕部と呼ぶ）２Ｃとにほぼ平行な直線状の部分（以下、これを直線状部分と呼ぶ）が形成されている。そして首掛部２は、胴体部２Ａの長さと、一端側腕部２Ｂの直線状部分及び他端側腕部２Ｃの直線状部分間の距離とが、大人の首の太さよりも広く選定されている。
【００１１】
また首掛部２は、ある程度の弾力を有し、一端側腕部２Ｂ及び他端側腕部２Ｃが互いを引き離すように手で引っ張られた場合、胴体部２Ａ等が撓って当該一端側腕部２Ｂ及び他端側腕部２Ｃの間隔を広げることができる。ただし首掛部２は、一端側腕部２Ｂ及び他端側腕部２Ｃの間隔を広げても、その一端側腕部２Ｂ及び他端側腕部２Ｃから手が離されると（すなわち、一端側腕部２Ｂ及び他端側腕部２Ｃに加える外力が取り除かれると）、一端側腕部２Ｂ及び他端側腕部２Ｃの間隔を元に戻す（すなわち、撓りを元に戻す）ようになされている。
【００１２】
これにより首掛部２は、一端側腕部２Ｂ及び他端側腕部２Ｃの間隔が広げられると、その一端側腕部２Ｂ及び他端側腕部２Ｃ間にユーザの頭部を通させることができる。そして首掛部２は、首掛部一端から首掛部他端までの間の中央部分（すなわち、胴体部２Ａの真中部分であり、以下、これを首掛中央部分と呼ぶ）をユーザの首の後側に位置させると共に、一端側腕部２Ｂを右肩に沿わせて首掛部一端を胸側に位置させ、かつ他端側腕部２Ｃを左肩に沿わせて首掛部他端も胸側に位置させるように当該ユーザの首の後から胸側に亘って掛けさせることができるようになされている。
【００１３】
また首掛部２は、一端側腕部２Ｂの直線状部分よりも首掛部一端寄りの部分（以下、これを一端部分と呼ぶ）、及び他端側腕部２Ｃの直線状部分よりも首掛部他端寄りの部分（以下、これを他端部分と呼ぶ）が、当該首掛部２をＵ字状に見る正面（以下、これを単に正面と呼ぶ）とは反対の背面側に垂れ下がりながら首掛部一端及び首掛部他端を互いに近づけて対向させるように曲げられている。これにより首掛部２は、ユーザの首の後から胸側に亘って掛けられたとき、一端側腕部２Ｂの一端部分及び他端側腕部２Ｃの他端部分を、ユーザの右肩及び左肩から胸に沿わせて位置させるようになされている。
【００１４】
因みに、以下の説明では、首掛部２において一端部分及び他端部分が垂れ下がる方向を下方向と呼び、これとは逆の方向を上方向と呼ぶ。また首掛部２の首掛中央部分側から首掛部一端及び首掛部他端側への方向を前方向と呼び、当該首掛部一端及び首掛部他端側から首掛中央部分側への方向を後方向と呼ぶ。さらに首掛部２の一端側腕部２Ｂ側から他端側腕部２Ｃ側への方向を左方向と呼び、当該他端側腕部２Ｃから一端側腕部２Ｂ側への方向を右方向と呼ぶ。
【００１５】
さらに胴体部２Ａの中央部分（すなわち、首掛中央部分）には、例えばゴムにより略俵状に形成された首当部３が当該中央部分の周囲を一周に亘って覆うように設けられている。この首当部３は、首掛部２がユーザの首の後から胸側に亘って掛けられたときに当該首の後の例えば根本部分と対向する対向部分３Ａが、その根本部分の形に合わせて湾曲した面状に形成されている。これにより首当部３は、首掛部２がユーザの首の後から胸側に亘って掛けられたときに、その湾曲した面状の対向部分（以下、これを対向面と呼ぶ）３Ａを当該首の後の根本部分に当接させるようになされている。
【００１６】
さらに首掛部２には、首掛部一端よりも首当部３の一端の位置（以下、これを首当一端位置と呼ぶ）寄り（すなわち、首掛中央部分寄り）に、２チャンネルステレオ用の一方のスピーカ（以下、これを右スピーカと呼ぶ）が収納された略偏平箱状の筐体４を有するスピーカ部（以下、これを右スピーカ部と呼ぶ）５が配置されている。さらにまた首掛部２には、首掛部他端よりも首当部３の他端の位置（以下、これを首当他端位置と呼ぶ）寄り（すなわち、首掛中央部分寄り）に、２チャンネルステレオ用の他方のスピーカ（以下、これを左スピーカと呼ぶ）が収納された略偏平箱状の筐体６を有するスピーカ部（以下、これを左スピーカ部と呼ぶ）７が配置されている。
【００１７】
そして右スピーカ部５及び左スピーカ部７は、それぞれ筐体４及び６の天板４Ａ及び６Ａを上方向へ向けている。また右スピーカ部５及び左スピーカ部７は、首掛部２に対し当該首掛部２に沿って移動可能なように保持させており、首掛部２に対する配置位置を任意に調整させ得るようになされている。
【００１８】
これにより右スピーカ部５は、首掛部２がユーザの首の後から胸側に亘って掛けられたとき、そのユーザの右肩に載上され、その状態で筐体４の天板４Ａをユーザの右耳側に向けることができるようになされている。また左スピーカ部７は、首掛部２がユーザの首の後から胸側に亘って掛けられたとき、そのユーザの左肩に載上され、その状態で筐体６の天板６Ａをユーザの左耳側に向けることができるようになされている。
【００１９】
ところでスピーカ装置１には、携帯型再生装置と右スピーカ及び左スピーカとを電気的に接続するスピーカケーブル８が設けられている。このスピーカケーブル８は、右スピーカ用の導電線と、左スピーカ用の導電線とが互いに絶縁された状態で被覆された一本のケーブルとして形成されている。そしてスピーカケーブル８の一端（以下、これをケーブル一端と呼ぶ）には、これら２つの導電線に電気的に接続されたジャック９が設けられている。
【００２０】
またスピーカケーブル８の他端（以下、これをケーブル他端と呼ぶ）側は、首掛部一端に開いた穴から首掛部２内に挿入されている。そしてスピーカケーブル８のケーブル他端側は、首掛部一端から首掛部他端までの途中で首掛部２内から外部に引き出されて、右スピーカ用の導電線が右スピーカ部５の右スピーカに電気的に接続されると共に、左スピーカ用の導電線が左スピーカ部７の左スピーカに電気的に接続されている。
【００２１】
さらにスピーカ装置１は、１本の細長い紐（以下、これをストラップ紐と呼ぶ）１０を有している。このストラップ紐１０は、当該ストラップ紐１０の一端（以下、これをストラップ一端と呼ぶ）側が、首掛部２の首掛部他端に開いた穴に挿入されて固定されている。またストラップ紐１０の他端（以下、これをストラップ他端と呼ぶ）側は、略楕円柱状のケーブル保持部１１に固定されている。そしてケーブル保持部１１は、スピーカケーブル８のケーブル一端側を保持し、その保持位置を任意に変位させ得るようになされている。
【００２２】
さらにまたスピーカ装置１は、ユーザの着衣を挟持可能なクリップ１２を有している。そしてクリップ１２は、スピーカケーブル８に対しケーブル保持部１１の保持位置よりもケーブル一端寄りに取り付けられている。
【００２３】
実際上、首掛部２において胴体部２Ａは、略釣鐘状の断面外形を有し、その底面を下方向へ向けるように形成されている。また首掛部２において一端側腕部２Ｂは、胴体部２Ａ側の直線状部分が略釣鐘状の断面外形を有し、その底面を下方向へ向けるように形成されている。因みに一端側腕部２Ｂは、一端部分が円形の断面外形を有するように形成されている。さらに首掛部２において他端側腕部２Ｃも、胴体部２Ａ側の直線状部分が略釣鐘状の断面外形を有し、その底面を下方向へ向けるように形成されている。因みに他端側腕部２Ｃは、他端部分が円形の断面外形を有するように形成されている。
【００２４】
そして図２に示すように、首掛部２は、胴体部２Ａの首当一端位置から一端側腕部２Ｂの直線状部分及び一端部分の境界位置（以下、これを一端側境界位置と呼ぶ）までの底面２Ｄに、ラックの櫛歯のように複数の凹部２Ｅが当該首掛部２の長手方向に沿って所定ピッチで順次形成されている。また首掛部２の外側を向いた側面（以下、これを外側面と呼ぶ）２Ｆには、首当一端位置から一端側境界位置までに亘る長穴状の開口部２Ｇが形成され、その開口部２Ｇを介して内部の穴を外部に露出させている。
【００２５】
さらに首掛部２内に挿入されたスピーカケーブル８のケーブル他端側は、例えば一端側境界付近において１本のケーブルから、右スピーカ用の導電線と左スピーカ用の導電線とが個別に被覆されて形成された右スピーカ用のケーブル（以下、これを右スピーカ用ケーブルと呼ぶ）８Ａと左スピーカ用のケーブル（以下、これを左スピーカ用ケーブルと呼ぶ）８Ｂとに分岐されている。因みにスピーカケーブル８の分岐部分は、首掛部２内に固定されている。
【００２６】
そして右スピーカ用ケーブル８Ａは、首掛部２の内部から開口部２Ｇを介して外部に引き出され、先端部分（すなわち、分岐部分とは反対側の部分）が右スピーカ部５の右スピーカに電気的に接続されている。因みに右スピーカ用ケーブル８Ａは、例えば被覆が絶縁性のゴムのような樹脂材により形成され弾性を有している。また右スピーカ用ケーブル８Ａは、左スピーカ用ケーブル８Ｂとの分岐位置から先端までの長さが、首掛部２の一端側境界位置から首当一端位置までの長さよりも長く選定されている。
【００２７】
従って右スピーカ用ケーブル８Ａは、例えば右スピーカ部５が首当一端位置側から一端側境界位置側へ移動したことに応じて先端部分が当該首当一端位置側から一端側境界位置側へ徐々に引っ張られながら移動すると、首当一端位置の方向へ引き回されていた当該右スピーカ用ケーブル８Ａの一端側境界位置の方向への折返部分を、その首当一端位置側から一端側境界位置側へ徐々に変位させながら、先端部分と共に根本部分側も首掛部２の内部から外部に引き出させている。
【００２８】
また右スピーカ用ケーブル８Ａは、例えば右スピーカ部５が一端側境界位置側から首当一端位置側へ移動したことに応じて先端部分が当該一端側境界位置側から首当一端位置側へ徐々に押されながら移動すると、折返部分を一端側境界位置側から首当一端位置側へ徐々に変位させながら、根本部分側から先端部分側までを外部から首掛部２の内部に収納させている。
【００２９】
一方、図３に示すように、首掛部２は、胴体部２Ａの首当他端位置から他端側腕部２Ｃの直線状部分及び他端部分の境界位置（以下、これを他端側境界位置と呼ぶ）までの底面２Ｈにも、上述と同様の複数の凹部２Ｅが当該首掛部２の長手方向に沿って所定ピッチで順次形成されている。また首掛部２の外側面２Ｆには、首当他端位置から他端側境界位置までに亘る長穴状の開口部２Ｊが形成され、その開口部２Ｊを介して内部の穴を外部に露出させている。
【００３０】
さらに首掛部２内に挿入されたスピーカケーブル８の左スピーカ用ケーブル８Ｂは、一端側腕部２Ｂ内から胴体部２Ａ内を通って他端側腕部２Ｃ内まで引き回されている。そして左スピーカ用ケーブル８Ｂは、首掛部２の内部から開口部２Ｊを介して外部に引き出され、先端部分（すなわち、分岐部分とは反対側の部分）が左スピーカ部７の左スピーカに電気的に接続されている。
【００３１】
因みに左スピーカ用ケーブル８Ｂも、例えば被覆が絶縁性のゴムのような樹脂材により形成され弾性を有している。また左スピーカ用ケーブル８Ｂは、右スピーカ用ケーブル８Ａとの分岐位置から先端までの長さが、首掛部２の一端側境界位置から他端側境界位置までの長さよりも長く選定されている。
【００３２】
従って左スピーカ用ケーブル８Ｂは、例えば左スピーカ部７が他端側境界位置側から首当他端位置側へ移動したことに応じて先端部分が当該他端側境界位置側から首当他端位置側へ徐々に引っ張られながら移動すると、他端側境界位置の方向へ引き回されていた当該左スピーカ用ケーブル８Ｂの首当他端位置の方向への折返部分を、その他端側境界位置側から首当他端位置側へ徐々に変位させながら、先端部分と共に根本部分側も首掛部２の内部から外部に引き出させている。
【００３３】
また左スピーカ用ケーブル８Ｂは、例えば左スピーカ部７が首当他端位置側から他端側境界位置側へ移動したことに応じて先端部分が当該首当他端位置側から他端側境界位置側へ徐々に押されながら移動すると、折返部分を首当他端位置側から他端側境界位置側へ徐々に変位させながら、根本部分側から先端部分側までを外部から首掛部２の内部に収納させている。
【００３４】
ところで右スピーカ部５及び左スピーカ部７は、同様に構成されている。従って、以下には、右スピーカ部５の構成について説明し、左スピーカ部７の構成については説明を省略する。図４に示すように、右スピーカ部５は、上述したように略偏平箱状の筐体４を有し、当該筐体４の天板４Ａには、複数の放音孔４Ｂが碁盤の目状に穿設されている。また筐体４には、対向する一方の側壁４Ｃ及び他方の側壁４Ｄの中央下側にそれぞれ首掛部挿通穴４Ｅが穿設されている。
【００３５】
そして筐体４には、首掛部２が一方の側壁４Ｃの首掛部挿通穴から内部空間を通して他方の側壁４Ｄの首掛部挿通穴４Ｅへと順に挿通されている。これにより筐体４は、首掛部２に対し右スピーカ部５を当該首掛部２に沿って移動可能なように保持させている。
【００３６】
因みに一方の側壁４Ｃ及び他方の側壁４Ｄにそれぞれ穿設された首掛部挿通穴４Ｅの幅は、首掛部２の幅よりも幅広に選定されている。これにより右スピーカ部５は、筐体４の一方の側壁４Ｃの首掛部挿通穴から内部空間を通して他方の側壁４Ｄの首掛部挿通穴４Ｅへと挿通された首掛部２に沿って、当該首掛部２の直線状部分を移動させ得ると共に、弓形状の部分（すなわち、胴体部２Ａにおいて首当一端位置よりも首掛部一端寄りの部分）をも移動させ得るようになされている。
【００３７】
また図５に示すように、筐体４は、内部に天板４Ａと平行な仕切板４Ｆが設けられ、その仕切板４Ｆを介して上下２層の内部空間２０及び２１が形成されている。この場合、一方の側壁４Ｃの首掛部挿通穴４Ｇ及び他方の側壁４Ｄの首掛部挿通穴４Ｅは、下側の内部空間（以下、これを下側内部空間と呼ぶ）２１に通じている。これにより下側内部空間２１には、首掛部２が一方の側壁４Ｃの首掛部挿通穴４Ｇ及び他方の側壁４Ｄの首掛部挿通穴４Ｅを介して挿通されている。
【００３８】
また下側内部空間２１の底面となる筐体４の底板内面４Ｈには、柱状の板ばね保持部４Ｊが垂設されている。その板ばね保持部４Ｊは、板ばね２２の平板状の胴体部２２Ａの一面を底板内面４Ｈと平行にし、かつ下側内部空間２１に挿通されている首掛部２の底面２Ｄに近接させて当該板ばね２２の胴体部２２Ａの一端側を保持している。そして板ばね２２は、胴体部２２Ａの他端側に、当該胴体部２２Ａの一部を一端側に折り返すようにして一面側に突出する略台形状の嵌合部２２Ｂが形成されている。
【００３９】
この場合、板ばね２２は、板ばね保持部４Ｊに保持されている胴体部２２Ａの一端側を固定端とし、嵌合部２２Ｂを自由端としている。そして板ばね２２は、例えば嵌合部２２Ｂに何ら外力が加えられない状態では、胴体部２２Ａの一面を底板内面４Ｈと平行にしたまま平らにしている。これに対して板ばね２２は、例えば嵌合部２２Ｂに下方向（すなわち、仕切板４Ｆ側から底板内面４Ｈへの方向）へ押下するような外力が加えられると、胴体部２２Ａを弓形状に曲げて嵌合部２２Ｂを底板内面４Ｈに近づける。ただし板ばね２２は、このとき、ばね性により嵌合部２２Ｂを底板内面４Ｈから離して仕切板４Ｆへ近づけ胴体部２２Ａを元の平らな状態に戻すように上方向へ付勢している。
【００４０】
また板ばね２２は、胴体部２２Ａの一面から嵌合部２２Ｂの頂上までの高さが、首掛部２の凹部２Ｅの深さよりも僅かに長く選定されている。さらに首掛部２の凹部２Ｅは、板ばね２２の嵌合部２２Ｂの形状（すなわち、台形状）に合わせるように、当該凹部２Ｅ内の一方及び他方の側面が底面２Ｄとの縁（以下、これを凹縁と呼ぶ）ほど間隔を広くし、当該凹部２Ｅの底（以下、これを凹底と呼ぶ）ほど間隔を狭くするように傾斜している。
【００４１】
従って図６（Ａ）及び（Ｂ）に示すように、板ばね２２は、嵌合部２２Ｂが首掛部２の底面２Ｄの凹部２Ｅと対向した場合、胴体部２２Ａを平らにした状態で当該凹部２Ｅ内に嵌合部２２Ｂを入り込ませて嵌合させる。このようにして板ばね２２は、首掛部２の複数の凹部２Ｅの何れか１つに嵌合した状態で、右スピーカ部５の筐体４に対し何ら移動させるための外力が加えられなければ、当該１つの凹部２Ｅ内に対する嵌合部２２Ｂの嵌合を維持する。これにより板ばね２２は、首掛部２の凹部２Ｅと共に、首掛部２の所望の配置位置に右スピーカ部５（すなわち、筐体４）を固定することができる。
【００４２】
また板ばね２２は、右スピーカ部５の筐体４が首掛部２に沿って移動させるように任意の移動方向（すなわち、首掛部２の首掛中央部分へ向かう方向、又は首掛部一端へ向かう方向）へ押された場合、嵌合部２２Ｂの一方及び他方の壁面のうち移動方向側の１つの壁面を当該首掛部２の凹部２Ｅ内の対応する壁面に押し付ける。そして板ばね２２は、右スピーカ部５の筐体４が移動方向へさらに押されると、当該筐体４に加えられた外力に応じて嵌合部２２Ｂにおける移動方向側の壁面を、首掛部２の凹部２Ｅ内の対応する壁面上で凹縁側へ滑らせながら胴体部２２Ａを弓形状に曲げ、かくして凹部２Ｅ内から嵌合部２２Ｂを抜け出させる。
【００４３】
これにより板ばね２２は、首掛部２に沿って右スピーカ部５の筐体４を移動方向へ移動させることができる。ただし板ばね２２は、凹部２Ｅ内から嵌合部２２が抜け出ても、胴体部２２Ａを弓形状に曲げた状態で当該嵌合部２２の頂上の一部を首掛部２の底面２Ｄに押し付けて上方向へ付勢している。このため板ばね２２は、首掛部２に沿って右スピーカ部５の筐体４が移動方向へ移動して嵌合部２２Ｂが、その抜け出した凹部２Ｅとは移動方向側で隣接する凹部２Ｅに到達すると、嵌合部２２Ｂの一方及び他方の壁面のうち移動方向とは反対方向側の１つの壁面を、その隣接する凹部２Ｅ内の対応する壁面上で凹底側へ滑らせながら胴体部２２Ａを元の平らな状態に戻すようにして、当該隣接する凹部２Ｅ内に嵌合部２２Ｂを入り込ませて嵌合させる。
【００４４】
すなわち板ばね２２は、首掛部２に沿って右スピーカ部５の筐体４が所望の移動方向へ押されている間は、その移動方向に沿って首掛部２の順次隣接する凹部２Ｅ内に嵌合部２２Ｂを順番に嵌合させながら、首掛部２に対する右スピーカ部５（すなわち、筐体４）の配置位置を凹部２Ｅの形成ピッチで変位させる。そして板ばね２２は、首掛部２の複数の凹部２Ｅのうち何れか１つの凹部２Ｅ内に嵌合部２２Ｂを嵌合させた状態で当該首掛部２に対する右スピーカ部５（すなわち、筐体４）の移動が停止すると、当該１つの凹部２Ｅ内に嵌合部２２Ｂを嵌合させたままにして首掛部２に右スピーカ部５（すなわち、筐体４）を固定する。このようにして板ばね２２は、首掛部２の複数の凹部２Ｅと共に当該首掛部２に対する右スピーカ部５の配置位置を任意に調整させることができる。
【００４５】
さらに筐体４の内部の仕切板４Ｆ（図５）には、所定位置にケーブル挿通穴４ＦＸが穿設されている。そして下側内部空間２１において首掛部２内から引き出された右スピーカ用ケーブル８Ａは、その先端側が仕切板４Ｆのケーブル挿通穴４ＦＸに挿通されて上側の内部空間（以下、これを上側内部空間と呼ぶ）２０へと引き込まれている。
【００４６】
さらに筐体４は、上側内部空間２０に右スピーカ２３が振動板を天板４Ａに対向させて収納されている。また右スピーカ２３には、上側内部空間２０に引き込まれた右スピーカ用ケーブル８Ａが電気的に接続されている。これにより筐体４は、右スピーカ２３から振動板を介して音声を放音させ得ると共に、当該放音された音声を天板４Ａの複数の放音孔４Ｂを介して外部に出力させ得るようになされている。
【００４７】
因みに仕切板４Ｆのケーブル挿通穴４ＦＸには、右スピーカ用ケーブル８Ａの挿入部分が固定されている。これにより筐体４は、首掛部２に沿って移動したことに応じて、右スピーカ用ケーブル８Ａが首掛部２内から引き出されるときや収納されるときに、右スピーカ２３に対する右スピーカ用ケーブル８Ａの接続部分が引っ張られて断線することを防止している。
【００４８】
また図７に示すように、ケーブル保持部１１は、互いに対向する一端面１１Ａ及び他端面１１Ｂのうち、一端面１１Ａに、ストラップ紐１０を固定するための穴（以下、これをストラップ固定穴と呼ぶ）１１Ｃが穿設されている。そしてケーブル保持部１１は、そのストラップ固定穴１１Ｃにストラップ紐１０のストラップ他端側が挿入されて固定されている。
【００４９】
さらにケーブル保持部１１は、一端面１１Ａから他端面１１Ｂに亘って、スピーカケーブル８を保持するための貫通穴（以下、これをケーブル保持穴と呼ぶ）１１Ｄが穿設されている。そしてケーブル保持部１１は、そのケーブル保持穴１１Ｄにスピーカケーブル８のケーブル一端側が挿通されている。ところでテーブル保持穴１１Ｄは、その内径が、スピーカケーブル８の直径よりも僅かに小さく選定されている。またスピーカケーブル８は、上述したように被覆が弾性を有している。
【００５０】
これによりケーブル保持部１１は、ケーブル保持穴１１Ｄによりスピーカケーブル８の挿通部分の周囲を僅かに締め付けるようにして保持する。そしてケーブル保持部１１は、スピーカケーブル８のケーブル一端側へ移動するように、当該ケーブル保持部１１及び又はスピーカケーブル８に対しある程度以上の力が作用すると、これに応じてケーブル保持穴１１Ｄに対するスピーカケーブル８の保持位置をケーブル一端側へ変位させる。これに対してケーブル保持部１１は、スピーカケーブル８のケーブル他端側へ移動するように、当該ケーブル保持部１１及び又はスピーカケーブル８に対しある程度以上の力が作用すると、これに応じてケーブル保持穴１１Ｄに対するスピーカケーブル８の保持位置をケーブル他端側へ変位させる。このようにしてケーブル保持部１１は、スピーカケーブル８の保持位置を任意に変位させ得るようになされている。
【００５１】
さらに図８（Ａ）及び（Ｂ）に示すように、クリップ１２は、一対のクリップ半体２５及び２６を有している。この場合、一方のクッリプ半体２５は、板状の摘部２５Ａを有している。そして摘部２５Ａの一端側には、２つの円筒部２５Ｂが離間し、かつ互いの中心軸を一致させて設けられている。また２つの円筒部２５Ｂの所定位置には板状の挟持部２５Ｃが、摘部２５Ａと共にひらがなの「く」の字を描くように設けられている。さらに挟持部２５Ｃの一面には、その長手方向に沿って複数の歯２５ＣＸが形成されている。
【００５２】
これに対して他方のクリップ半体２６は、板状の摘部２６Ａを有している。そして摘部２６Ａの一端には、円弧状の連結部２６Ｂを介して板状の挟持部２６Ｃが設けられている。また連結部２６Ｂの内面中央には、円筒部２６Ｄがその中心軸を当該連結部２６Ｂの中心軸と一致させて設けられている。さらに挟持部２６Ｃの一面には、その長手方向に沿って、一方のクリップ半体２５の挟持部２５Ｃに形成された各歯２５ＣＸに対応する複数の歯２６ＣＸが形成されている。因みに円筒部２６Ｄの内径は、一方のクリップ半体２５の２つの円筒部２５Ｂの内径よりも僅かに長く選定されている。
【００５３】
そしてクリップ１２は、一方のクリップ半体２５の２つの円筒部２５Ｂの間に他方のクリップ半体２６の円筒部２６Ｄが差し込まれて全ての中心軸が致した状態で、これら連なる円筒部２５Ｂ及び２６Ｄの穴に例えば金属の円筒２７が差し込まれている。因みに円筒２７は、例えば、一方のクリップ半体２５の２つの円筒部２５Ｂに対しては圧入されて固定されている。また円筒２７は、他方のクリップ半体２６の１つの円筒部２６Ｄに対しては回動可能に挿入されている。これによりクリップ１２は、一方及び他方のクリップ半体２５及び２６の摘部２５Ａ及び２６Ａの一面同士と、挟持部２５Ｃ及び２６Ｃの一面同士とをそれぞれ対向させて、当該一方のクリップ半体２５に対し他方のクッリプ半体２６が円筒部２５Ｂ及び２６Ｄの中心軸を回動中心軸として回動自在に取り付けられている。
【００５４】
すなわち、クリップ１２は、一方及び他方のクリップ半体２５及び２６において摘部２５Ａ及び２６Ａを合わせるように閉じた場合、これに応じて挟持部２５Ｃ及び２６Ｃを離間させるように開く。またクリップ１２は、一方及び他方のクリップ半体２５及び２６において摘部２５Ａ及び２６Ａを離間させるように開いた場合、これに応じて挟持部２５Ｃ及び２６Ｃを、互いの歯２５ＣＸ及び２６ＣＸ同士を歯合させるように閉じる。
【００５５】
またクリップ１２は、一方及び他方のクリップ半体２５及び２６の摘部２５Ａ及び２６Ａの対向する一面間に、略Ｕ字状の板ばね２８が設けられている。この場合、板ばね２８は、曲部を一方及び他方のクリップ半体２５及び２６の円筒部２５Ｂ及び２６Ｄに向け、当該曲部よりも一端側の板部が一方のクリップ半体２５の摘部２５Ａの一面に取り付けられていると共に、その曲部よりも他端側の板部が他方のクリップ半体２６の摘部２６Ａの一面に取り付けられている。
【００５６】
そして板ばね２８は、一方及び他方のクリップ半体２５及び２６の摘部２５Ａ及び２６Ａに何ら外力が加えられない場合、これら摘部２５Ａ及び２６Ａを開くように付勢している。従って板ばね２８は、この際、一方及び他方のクリップ半体２５及び２６の挟持部２５Ｃ及び２６Ｃを閉じさせて互いの歯２５ＣＸ及び２６ＣＸ同士を歯合させる。
【００５７】
これよりクリップ１２は、一方及び他方のクリップ半体２５及び２６の摘部２５Ａ及びＡが摘まれて閉じられた場合、これに応じて挟持部２５Ｃ及び２６Ｃを開いて、当該挟持部２５Ｃ及び２６Ｃの間にユーザの着衣を差し込ませることができる。そしてクリップ１２は、挟持部２５Ｃ及び２６Ｃの間にユーザの着衣が差し込まれた状態で、一方及び他方のクリップ半体２５及び２６の摘部２５Ａ及び２６Ａに対する摘みが解除されると、板ばね２８の付勢力により、摘部２５Ａ及び２６Ａを開くと共に、挟持部２５Ｃ及び２６Ｃを閉じて互いの歯２５ＣＸ及び２６ＣＸ間に着衣を挟持することができる。
【００５８】
ところでクリップ１２は、円筒２７にスピーカケーブル８のケーブル一端側が挿通されている。そして、かかる円筒２７は、その内径が、スピーカケーブル８の直径よりも僅かに小さく選定されている。これによりクリップ１２は、円筒２７に対するスピーカケーブル８の挿通部分の周囲を僅かに締め付けるようにして保持する。そしてクリップ１２は、スピーカケーブル８のケーブル一端側へ移動するように、当該クリップ１２及び又はスピーカケーブル８に対しある程度以上の力が作用すると、これに応じて円筒２７に対するスピーカケーブル８の保持位置をケーブル一端側へ変位させる。
【００５９】
これに対してクリップ１２は、スピーカケーブル８のケーブル他端側へ移動するように、当該クリップ１２及び又はスピーカケーブル８に対しある程度以上の力が作用すると、これに応じて円筒２７に対するスピーカケーブル８の保持位置をケーブル他端側へ変位させる。このようにしてクリップ１２も、上述したケーブル保持部１１と同様にスピーカケーブル８の保持位置を任意に変位させ得るようになされている。よってクリップ１２は、スピーカケーブル８の所望位置を保持しながらユーザの着衣を挟持し得るようになされている。
【００６０】
かかる構成により図９に示すように、クリップ１２は、スピーカケーブル８に沿ってケーブル一端側に引っ張られて移動すると、当該スピーカケーブル８においてケーブル一端寄りの所望位置を保持する。またケーブル保持部１１もスピーカケーブル８に沿ってケーブル一端側に引っ張られて移動すると、当該スピーカケーブル８においてケーブル一端寄りの所望位置を保持する。
【００６１】
このようにしてスピーカ装置１は、クリップ１２及びケーブル保持部１１それぞれによりスピーカケーブル８のケーブル一端寄りの所望位置が保持されると、首掛部２の首掛部一端及び首掛部他端から引き出されているスピーカケーブル８及びストラップ紐１０を弛ませて当該首掛部２と共にストラップ紐１０及びスピーカケーブル８によって形成される輪を前方向へ広げさせることができる。これによりスピーカ装置１は、首掛部２の一端側腕部２Ｂ及び他端側腕部２Ｃが互いを引き離すように手で引っ張られた場合、当該一端側腕部２Ｂ及び他端側腕部２Ｃの間隔を広げ易くすることができる。
【００６２】
そしてスピーカ装置１は、首掛部２において間隔が広げられた一端側腕部２Ｂ及び他端側腕部２Ｃ間にユーザの頭部が通された後、その一端側腕部２Ｂ及び他端側腕部２Ｃから手が離されると、当該一端側腕部２Ｂ及び他端側腕部２Ｃの間隔を元に戻す。このようにしてスピーカ装置１は、首掛部２の首掛中央部分をユーザの首の後側に位置させると共に、一端側腕部２Ｂを右肩に沿わせて首掛部一端を胸側に位置させ、かつ他端側腕部２Ｃを左肩に沿わせて首掛部他端も胸側に位置させるように当該首掛部２をユーザの首の後から胸側に亘って掛けさせることができる。
【００６３】
そして図１０に示すように、スピーカ装置１は、首掛部２がユーザの首の後から胸側に亘って掛けられた状態で、ケーブル保持部１１がスピーカケーブル８に沿ってケーブル他端側に引っ張られて移動すると、当該スピーカケーブル８においてケーブル他端寄りの所望位置を保持する。これによりスピーカ装置１は、首掛部２の首掛部一端及び首掛部他端から引き出されているスピーカケーブル８及びストラップ紐１０を張った状態にして当該首掛部２と共にストラップ紐１０及びスピーカケーブル８とによって形成される輪を狭めさせることができる。
【００６４】
そしてスピーカ装置１は、このように首掛部２と共にストラップ紐１０及びスピーカケーブル８によって形成される輪が狭められると、これに応じて首当部３の対向面３Ａをユーザの首の後の根本部分に押し付けさせると共に、首掛部２の一端側腕部２Ｂ及び他端側腕部２Ｃを、ユーザの右肩及び左肩から胸に沿わせて位置させる。かくしてスピーカ装置１は、右スピーカ部５をユーザの右肩に載上させて右スピーカ２３の振動板を右耳側に向けさせることができると共に、左スピーカ部７をユーザの左肩に載上させて左スピーカを左耳側に向けさせることができる。
【００６５】
またスピーカ装置１は、この際、スピーカケーブル８の所望位置を保持しているクリップ１２により当該スピーカケーブル８が下方向へ引っ張られた状態で着衣が挟持されると、ユーザの首の後から胸側に亘って掛けられている首掛部２全体も首の後側から胸側へ引っ張るように付勢することができる。よってスピーカ装置１は、ユーザが首掛部２を首の後から胸側に亘って掛けたまま動き回っても、その首掛部２と共に右スピーカ部５や左スピーカ部７がユーザの右肩及び左肩の上からずれることを防止することができる。
【００６６】
なお第１の実施の形態の場合、図１０に示すように、スピーカ装置１のジャック９には、携帯型再生装置３０を接続することができる。図１１に示すように、この携帯型再生装置３０は、箱状の本体部３１を有している。そして本体部３１の正面（以下、これを本体正面と呼ぶ）３１Ａには、一端寄りに液晶パネル又は有機ＥＬ（Electro Luminescence）パネル等でなる表示パネル３２が配置されている。また本体正面３１Ａには、他端寄りに各種操作ボタン３３も配置されている。さらに本体部３１の一端面３１Ｂには、スピーカ装置１のジャック９が抜差可能に差し込まれる差込端子３４と、外部のパーソナルコンピュータ等の電子機器と接続するための外部端子３５とが設けられている。
【００６７】
また図１２に示すように、携帯型再生装置３０は、内部に制御部４０が設けられている。この制御部４０は、ユーザにより操作ボタン３３が操作されて入力される各種命令に応じて携帯型再生装置３０内の各回路を統括制御する。これにより制御部４０は、外部の電子機器から音楽やラジオ番組等の音声の音声データが、当該音声のタイトルのような属性情報と共に送信されると、その音声データ及び属性情報を外部端子３５により取り込んでデータ記憶部４１に送出する。これにより制御部４０は、データ記憶部４１に対し音声データ及び属性情報を互いに対応付けて記憶する。
【００６８】
このようにして制御部４０は、データ記憶部４１に対し音声データと共に属性情報を記憶した後、ユーザにより操作ボタン３３を介して属性情報を表示するように命令されると、これに応じてデータ記憶部４１から属性情報を読み出して表示パネル３２送出する。これにより制御部４０は、表示パネル３２に対し、再生可能な音声データに対応するタイトル等の属性情報を表示してユーザに提示する。
【００６９】
この状態で制御部４０は、ユーザにより操作ボタン３３を介して、表示パネル３２上で属性情報として再生対象の音声データが選択されると、データ記憶部４１から、その選択され音声データを読み出して再生処理部４２に送出する。そして制御部４０は、再生処理部４２により音声データを再生処理し、その結果得られる音声信号を差込端子３４からスピーカ装置１のジャック９及びスピーカケーブル８を順次介して右スピーカ２３及び左スピーカに送出する。これにより携帯型再生装置３０は、スピーカ装置１の右スピーカ２３及び左スピーカを介して音声信号に基づく音声（以下、これを再生音声と呼ぶ）を放音させてユーザに聴かせることができる。
【００７０】
以上の構成において、スピーカ装置１は、首掛部２において首掛部一端よりも首掛中央部分寄り（すなわち、首当一端位置寄り）に略偏平箱状の右スピーカ部５を配置すると共に、首掛部他端よりも首掛中央部分寄り（すなわち、首当他端位置寄り）に略偏平箱状の左スピーカ部７を配置する。この状態でスピーカ装置１は、首掛部２の一端側腕部２Ｂ及び他端側腕部２Ｃ間にユーザの頭部が通されると、首掛部２の首掛中央部分をユーザの首の後側に位置させると共に、一端側腕部２Ｂを右肩に沿わせて首掛部一端を胸側に位置させ、かつ他端側腕部２Ｃを左肩に沿わせて首掛部他端も胸側に位置させるように当該首掛部２をユーザの首の後から胸側に亘って掛けさせる。
【００７１】
そしてスピーカ装置１は、首掛部２の首掛部一端よりも首掛中央部分寄りに配置した右スピーカ部５を右肩に載上すると共に、当該首掛部２の首掛部他端よりも首掛中央部分寄りに配置した左スピーカ部７を左肩に載上する。従ってスピーカ装置１は、首掛部２がユーザの首の後から胸側に亘って掛けられた場合、右スピーカ部５及び左スピーカ部７を右肩及び左肩に載上して体に密着させることができる。その結果、スピーカ装置１は、首掛部２が首の後から胸側に亘って掛けられたまま、ユーザにより腕や頭部等が動かされても右スピーカ部５及び左スピーカ部７に手や顎等がぶつかって動作の邪魔になることを回避することができる。
【００７２】
ところでスピーカ装置１は、ユーザに対しヘッドホンやイヤホンのように耳を塞ぐようにして再生音声を聴かせるわけではなく、右肩及び左肩に載上した右スピーカ部５及び左スピーカ部７から再生音声を放音して聴かせている。このためスピーカ装置１は、ジョギング中や自転車による走行中に携帯型再生装置３０と共に使用されても、再生音声と共に、周囲の自動車の走行音やクラクション、緊急車両のサイレン等の周囲音も的確に聴かせることができ、ユーザの安全が損なわれることを防止することができる。
【００７３】
以上の構成によれば、スピーカ装置１は、ユーザの首の後から胸側に亘って掛けられる首掛部２において首掛部一端よりも首掛中央部分寄りに略偏平箱状の右スピーカ部５を配置すると共に、首掛部他端よりも首掛中央部分寄りに略偏平箱状の左スピーカ部７を配置し、その首掛部２がユーザの首の後から胸側に亘って掛けられたときに右スピーカ部５を右肩に載上すると共に左スピーカ部７を左肩に載上するようにした。これによりスピーカ装置１は、首掛部２がユーザの首の後から胸側に亘って掛けられた場合、右スピーカ部５及び左スピーカ部７を右肩及び左肩に載上して体に密着させ、ユーザにより腕や頭部等が動かされても右スピーカ部５及び左スピーカ部７に手や顎等がぶつかって動作の邪魔になることを回避することができる。よってスピーカ装置１は、従来に比して使い勝手を格段的に向上させることができる。
【００７４】
ところでスピーカ装置１は、右スピーカ部５及び左スピーカ部７を略偏平箱状の筐体４及び６を元に構成するようにした。すなわちスピーカ装置１は、首掛部２がユーザの首の後から胸側に亘って掛けられて右スピーカ部５及び左スピーカ部７が右肩及び左肩に載上された場合、その右肩及び左肩から上方向に突出する右スピーカ部５及び左スピーカ部７の高さを極力低くしている。これによりスピーカ装置１は、首掛部２がユーザの首の後から胸側に亘って掛けられたまま、ユーザにより頭部が動かされても右スピーカ部５及び左スピーカ部７に顎がぶつかることをほぼ確実に回避することができる。
【００７５】
またスピーカ装置１は、このように右スピーカ部５及び左スピーカ部７の略偏平箱状の筐体４及び６に、天板４Ａ及び６Ａに振動板を対向させて右スピーカ２３及び左スピーカを収納している。そしてスピーカ装置１は、首掛部２がユーザの首の後から胸側に亘って掛けられた場合に、右肩及び左肩に筐体４及び６の底板外面を当接させるような姿勢で、その首掛部２に右スピーカ部５及び左スピーカ部７を配置するようにした。従ってスピーカ装置１は、首掛部２をユーザの首の後から胸側に亘って掛けさせるだけで、右スピーカ２３及び左スピーカの振動板を右耳側及び左耳側へ向けて右スピーカ部５及び左スピーカ部７を右肩及び左肩に載上させることができる。
【００７６】
さらにスピーカ装置１は、首掛部２に配置する右スピーカ部５及び左スピーカ部７の配置位置をユーザに対し任意に調整させ得るようにした。従ってスピーカ装置１は、ユーザに対し首掛部２に対する右スピーカ部５及び左スピーカ部７の配置位置を任意に調整させることで、種々の体型のユーザに対し、首掛部２が首の後から胸側に亘って掛けられたときに、的確に右スピーカ部５を右肩に載上させて右スピーカ２３の振動板を右耳側に向けさせることができると共に、左スピーカ部７を左肩に載上させて左スピーカの振動板を左耳側に向けさせることができる。よってスピーカ装置１は、右スピーカ２３及び左スピーカから放音させる再生音声がユーザにとって聴き取り難くなることを極力回避することができる。
【００７７】
これに加えてスピーカ装置１は、首掛部２において胴体部２Ａの中央部分に首当部３を設けるようにした。従ってスピーカ装置１は、ユーザの首の後側に対し首掛部２の胴体部２Ａは接触させずに、その胴体部２Ａよりも長さの短い首当部３の対向面３Ａのみを接触させて装着感を向上させることができる。
【００７８】
そしてスピーカ装置１は、このように首掛部２において胴体部２Ａの中央部分に首当部３を設けることで、当該首掛部２に沿って右スピーカ部５を首掛部他端側へ移動させようとしたときに首当部３の首当一端に突き当てさせて、その右スピーカ部５に対する配置位置の調整範囲を規制することができる。またスピーカ装置１は、首掛部２に沿って左スピーカ部７を首掛部一端側へ移動させようとしたときにも、首当部３の首当他端に突き当てさせて、その左スピーカ部７に対する配置位置の調整範囲を規制することができる。これによりスピーカ装置１は、首掛部２に対する右スピーカ部５及び左スピーカ部７の配置位置を調整させ得るものの、その右スピーカ部５及び左スピーカ部７をユーザの首の後側に配置して再生音声が聴き取り難くなることを回避することができる。
【００７９】
またスピーカ装置１は、ケーブル保持部１１に対しスピーカケーブル８を保持すると共に、その保持位置をユーザに対し任意に調整させ得るようにした。従ってスピーカ装置１は、首掛部２が首の後から胸側に亘って掛けられたときに、ケーブル保持部１１に対するスピーカケーブル８の保持位置を調整させて当該スピーカケーブル８をストラップ紐１０共に首掛部一端及び首掛部他端の間で張った状態にして胸に極力近づけることができる。よってスピーカ装置１は、首掛部２が首の後から胸側に亘って掛けられて使用されるときに、首掛部一端及び首掛部他端の間でスピーカケーブル８が揺れ動いて邪魔になることを防止することができる。
【００８０】
そしてスピーカ装置１は、例えば右スピーカ部５及び左スピーカ部７を右耳及び左耳に極力近づけるために、首掛部２が一端側腕部２Ｂ及び他端側腕部２Ｂの直線状部分間の距離をユーザの頭部の幅よりも僅かに狭くするように形成されている場合でも、首掛部２を首に掛ける際、ケーブル保持部１１によりスピーカケーブル８のケーブル一端寄りを保持するように保持位置が調整されると、当該首掛部２の首掛部一端及び首掛部他端から引き出されているスピーカケーブル８及びストラップ紐１０を弛ませて一端側腕部２Ｂ及び他端側腕部２Ｃの間隔を広げ易くすることができる。従ってスピーカ装置１は、このように首掛部２が一端側腕部２Ｂ及び他端側腕部２Ｂの直線状部分間の距離をユーザの頭部の幅よりも僅かに狭くするように形成されている場合でも、首掛部２を首に掛ける際、ケーブル保持部１１によりスピーカケーブル８のケーブル一端寄りを保持するように保持位置が調整されると、その首掛部２を首の後から胸側に亘って容易に掛けさせることができる。
【００８１】
さらにスピーカ装置１は、クリップ１２に対しスピーカケーブル８を保持すると共に、その保持位置をユーザに対し任意に調整させ得るようにした。従ってスピーカ装置１は、クリップ１２によりスピーカケーブル８を所望位置まで引き回して着衣の所望位置を挟持させることができる。そしてスピーカ装置１は、この際、クリップ１２によりスピーカケーブル８が下方向へ引っ張られた状態で着衣が挟持されると、ユーザの首の後から胸側に亘って掛けられている首掛部２全体を首の後側から胸側へ引っ張るように付勢し、ユーザが動き回っても、首掛部２と共に右スピーカ部５や左スピーカ部７がユーザの右肩及び左肩の上からずれることを防止することができる。
【００８２】
なお上述した第１の実施の形態においては、右スピーカ部５及び左スピーカ部７において筐体４及び６の底板外面には何ら設けないようにした場合について述べたが、本発明はこれに限らず、図１３に示すように、右スピーカ部５及び左スピーカ部７の筐体４及び６の底板外面の全体（又は、少なくとも一部）に、着衣の素材との摩擦力が比較的大きいゴム等で形成されたシート状の滑止部４５を設けるようにしても良い。かかる構成のスピーカ装置１は、首掛部２がユーザの首の後から胸側に亘って掛けられて使用されるとき、筐体４の底板外面の滑止部４５を着衣に接触させて右スピーカ部５を右肩に載上させると共に、筐体６の底板外面の滑止部４５も着衣に接触させて左スピーカ部７を左肩に載上させることができる。このためスピーカ装置１は、使用中にユーザが動き回っても、着衣と滑止部４５との間の比較的大きな摩擦力により、右スピーカ部５及び左スピーカ部７をユーザの右肩及び左肩の上からずれ難くすることができる。
【００８３】
また上述した第１の実施の形態においては、首掛部２の一端側腕部２Ｂに１つの右スピーカ部５を配置して、その配置位置を調整し得るようにすると共に、他端側腕部２Ｃに１つの左スピーカ部７を配置して、その配置位置を調整し得るようにした場合について述べたが、本発明はこれに限らず、首掛部２の一端側腕部２Ｂ及び又は他端側腕部２Ｃにそれぞれ異なるチャンネルの音声を出力する２個以上のスピーカ部を配置して、これらの配置位置を上述と同様に調整し得るようにしても良い。
【００８４】
ここで、かかる構成のスピーカ装置の１つについて以下に説明する。すなわち、図１との対応部分に同一符号を付した図１４に示すように、かかる構成のスピーカ装置４６では、例えば首掛部２の一端側腕部２Ｂに対し、４チャンネルサラウンドの２つの右スピーカが１個ずつ収納された右スピーカ部５及び４７を前後に（すなわち、首掛部一端寄り及び首掛中央部分寄りにそれぞれ１つ）配置して、その配置位置を調整し得るようにすると共に、他端側腕部２Ｃに対し、４チャンネルサラウンドの２つの左スピーカが１個ずつ収納された左スピーカ部７及び４８を前後に（すなわち、首掛部他端寄り及び首掛中央部分寄りにそれぞれ１つ）配置して、その配置位置を調整し得るようにしている。このようなスピーカ装置４６では、合計４つの右スピーカ部５及び４７並びに左スピーカ部７及び４８によりユーザの頭部の周囲に立体音響環境を構築して再生音声を聴かせることができる。因みにスピーカ装置１及び４６では、例えば首当部３にも低音を出力するスピーカを収納して３又は５チャンネルのサランドシステムを構築することもできる。
【００８５】
さらに上述した第１の実施の形態においては、首掛部２の一端側腕部２Ｂに配置した右スピーカ部５の配置位置を調整し得るようにすると共に、他端側腕部２Ｃに配置した左スピーカ部７の配置位置も調整し得るようにした場合について述べたが、本発明はこれに限らず、首掛部２の一端側腕部２Ｂ及び他端側腕部２Ｃに対しそれぞれ１又は複数のスピーカ部を配置して配置位置を調整し得ないように固定したままにしても良いし、一端側腕部２Ｂ及び他端側腕部２Ｃのいずれか一方にのみ例えばアナログスピーカが収納された筐体を有する１個のスピーカ部を配置して固定したままにし、又は配置位置を調整可能に配置するようにしても良い。
【００８６】
かかる構成のスピーカ装置のように首掛部２に対しスピーカ部を配置して固定したままにする場合には、例えば首掛部２の一端側腕部２Ｂ及び他端側腕部２Ｃの長さや互いの直線状部分の間隔が異なるものを複数種類用意しておき、ユーザに首掛部２を選定させるようにしても良い。またかかる構成の場合、首掛部２に対しスピーカ部を配置して固定したままにするものの、その首掛部２の首掛部一端側及び又は首掛部他端側を伸縮させてユーザの右肩及び又は左肩に対するスピーカ部の載上位置を調整させるようにしても良い。これにより、かかる構成のスピーカ装置では、ユーザに対し右肩及び又は左肩にスピーカ部を的確に載上させて使用させることができる。
【００８７】
ここで、首掛部が伸縮可能な構成のスピーカ装置の１つについて以下に説明する。すなわち、図１との対応部分に同一符号を付した図１５に示すように、かかる構成のスピーカ装置５０では、例えば略Ｕ字状に形成された断面円形のパイプでなる首掛部５１の一端側腕部５１Ａに右スピーカが収納された略偏平箱状の筐体５２を有する右スピーカ部５３を配置して固定したままにすると共に、他端側腕部５１Ｂに左スピーカが収納された略偏平箱状の筐体５４を有する左スピーカ部５５を配置して固定したままにしている。
【００８８】
そして図１５並びに図１６（Ａ）及び（Ｂ）に示すように、かかる構成のスピーカ装置５０では、首掛部５１の胴体部５１Ｃを伸縮可能な蛇腹状のパイプとして形成する。これによりスピーカ装置５０では、首掛部５１の胴体部５１Ｃにおいて、その長手方向に沿った任意の伸縮対象範囲の全体を直線状に伸縮させたり、当該胴体部５１Ｃにおいて、その長手方向に沿った任意の伸縮対象範囲の外側を向いた部分のみを伸長させて、その伸縮対象範囲を弓形状に変形させることができる。よってスピーカ装置５０は、ユーザに対し首掛部５１の胴体部５１Ｃに対する任意の１又は複数の伸縮対象範囲の全体又は特定の部分を伸縮させて、右肩に対する右スピーカ部５３の載上位置と、左肩に対する左スピーカ部５５の載上位置とを所望位置となるように調整させることができる。
【００８９】
因みに、かかる構成のスピーカ装置５０では、首掛部５１の一端側腕部５１Ａに対し右スピーカ部５３を配置して固定したままにしていることにより、当該一端側腕部５１Ａにおいて右スピーカ部５３の配置部分にのみ例えば円形の穴を穿設することで、一端側腕部５１Ａ内から右スピーカ用ケーブルを当該穴に通して右スピーカ部５３の筐体５２内に引き込んで右スピーカに電気的に接続することができる。またスピーカ装置５０では、首掛部５１の他端側腕部５１Ｂに対し左スピーカ部５５を配置して固定したままにしていることにより、当該他端側腕部５１Ｂにおいても左スピーカ部５５の配置部分にのみ例えば円形の穴を穿設することで、他端側腕部５１Ｂ内から左スピーカ用ケーブルを当該穴に通して左スピーカ部５５の筐体５４内に引き込んで左スピーカに電気的に接続することができる。
【００９０】
すなわちスピーカ装置５０は、首掛部５１内に挿入された右スピーカ用ケーブル及び左スピーカ用ケーブルを外部に全く露出させることがなく、その結果、右スピーカ用ケーブル及び左スピーカ用ケーブルが外部の壁等と擦れて破損し、また指等に引っ掛けられて引っ張られ断線することをほぼ確実に防止することができる。因みにスピーカ装置５０では、例えば、首掛部５１内を通して右スピーカ部５３側から左スピーカ部５５側まで引き回す左スピーカ用ケーブルを他端側腕部５１Ｂの穴から、当該穴と左スピーカとの間の距離よりも長めに引き出して筐体５４内に溜めることで、首掛部５１の胴体部５１Ｃが伸長された場合でも、これに応じて左スピーカに対する左スピーカ用ケーブルの接続部分が引っ張られて断線することを回避することができる。
【００９１】
さらに上述した第１の実施の形態においては、スピーカ装置１に対しケーブル保持部１１及びクリップ１２を設けるようにした場合について述べたが、本発明はこれに限らず、スピーカ装置１に対し、スピーカケーブル８と共にストラップ紐１０を保持するクリップのみを設けるようにしても良い。かかる構成によれば、上述した第１の実施の形態によるスピーカ装置１よりも部品点数を減らして構成を簡易化することができる。
【００９２】
さらに上述した第１の実施の形態においては、首掛部２に対し首当部３を設けるようにした場合について述べたが、本発明はこれに限らず、首掛部２に首当部３を設けずに構成するようにしても良い。かかる構成によれば、上述した第１の実施の形態によるスピーカ装置１よりも部品点数を減らして構成を簡易化することができる。
【００９３】
さらに上述した第１の実施の形態においては、首掛部２に対し胴体部２Ａの中央部分を覆うように首当部３を設けるようにした場合について述べたが、本発明はこれに限らず、首掛部をその中央から首掛部一端までの一端側部分と当該中央から首掛部他端までの他端側部分との２つの部品から構成し、これら２つの一端側部分と他端側部分とを首当部３により連結して上述した首掛部２のように形成するようにしても良い。かかる構成によれば、首掛部の一端側部分と他端側部分との連結部分を首当部３内で僅かに離間させておくことで、ユーザの頭部に通される際に当該一端側部分と他端側部分との間を容易に広げさせることができる。
【００９４】
さらに上述した第１の実施の形態においては、スピーカ装置１に対しスピーカケーブル８により携帯型再生装置３０を有線接続するようにした場合について述べたが、本発明はこれに限らず、スピーカ装置１の右スピーカ部５及び左スピーカ部７内、又は箱状に形成した首当部内に受信部を収納して、無線通信機能を有する携帯型再生装置（又は据置型の再生装置）と無線接続することにより、当該携帯型再生装置（又は据置型の再生装置）から無線で送信される音声データを受信部によって受信して再生音声として右スピーカ２３及び左スピーカから放音させるようにしても良い。ところでスピーカ装置１と携帯型再生装置との無線接続には、ＩＥＥＥ（Institute of Electrical and Electronics Engineers ）８０２．１１ａ／ｂ／ｇ／ｎ、Ｂｌｕｅｔｏｏｔｈ、ＷｉｒｅｌｅｓｓＵＳＢ（Universal Serial Bus）等の如何なる無線通信方式に準じた無線接続部（すなわち、送信部及び受信部）を用いてもかまわない。因みに、かかる構成では、携帯型再生装置（又は据置型の再生装置）により音声データを復号等の再生処理を施してからスピーカ装置に無線で送信しても良いし、スピーカ装置に再生処理部を設けておき、携帯型再生装置（又は据置型の再生装置）から音声データを再生処理せずにスピーカ装置に無線で送信し、当該スピーカ装置で、その音声データを受信部によって受信して再生処理部により再生処理し、その結果得られた再生音声を右スピーカ２３及び左スピーカから放音させるようにしても良い。
【００９５】
またスピーカ装置１を携帯型再生装置３０と一体化するようにしても良い。ところでスピーカ装置１を携帯型再生装置３０と一体化する場合、かかるスピーカ装置１では、携帯型再生装置３０内のデータ記憶部や再生処理部等を、１又は複数のスピーカ部に単独で又は分散させて収納するようにしても良いし、首当部を箱状に形成して当該首当部に収納するようにしても良い。因みにスピーカ装置１は、携帯型再生装置と無線接続するように構成し、また携帯型再生装置３０と一体化して構成する場合には、スピーカケーブル８の替わりに比較的長いストラップ紐を首掛部２の首掛部一端から引き出してケーブル保持部１１やクリップ１２に保持させることもできる。
【００９６】
さらに上述した第１の実施の形態においては、スピーカケーブル８のケーブル他端側を首掛部２の首掛部一端に開いた穴から当該首掛部２内に挿入すると共に、ストラップ紐１０のストラップ一端側を首掛部２の首掛部他端に開いた穴に挿入して固定し、ケーブル保持部１１にスピーカケーブル８のケーブル一端側を保持すると共に、ストラップ紐１０のストラップ他端側を固定するようにした場合について述べたが、本発明はこれに限らず、ストラップ紐を用いず、またスピーカケーブルとして右スピーカ用ケーブルと左スピーカ用ケーブルとを用いて、当該右スピーカ用ケーブル及び左スピーカ用ケーブルの一端側をケーブル保持部に保持して保持位置を調整し得るようにすると共に、一方の右スピーカ用ケーブルの他端側を首掛部２の首掛部一端に開いた穴から当該首掛部２内に挿入し、他方の左スピーカ用ケーブルの他端側を首掛部２の首掛部他端に開いた穴から当該首掛部２内に挿入するようにしても良い。
【００９７】
（２）第２の実施の形態
図１７において、６０は全体として第２の実施の形態によるスピーカ装置を示す。かかるスピーカ装置６０は、首掛部６１を有しており、この首掛部６１には、帯状のストラップでなる首掛紐６１Ａが設けられている。また首掛部６１において首掛紐６１Ａの両端は、重ねられ状態で例えば円柱状の首掛紐固定部６１Ｂの一端側内部に埋め込まれて固定されている。さらに首掛部６１において首掛紐固定部６１Ｂの他端側には、円柱状の松葉紐固定部６１Ｃの一端側が着脱可能に取り付けられている。さらにまた松葉紐固定部６１Ｃの他端側には、携帯型再生装置に直接くくりつけられる比較的細い松葉紐６１Ｄの両端が当該他端側内部に埋め込まれて固定されている。
【００９８】
そして首掛紐６１Ａの長さは、首掛紐固定部６１Ｂにより両端部が固定されたことで形成される輪が、大人の頭部を通すのに十分なように選定されている。すなわち、首掛部６１は、首掛紐６１Ａの輪が広げられると、その輪にユーザの頭部を通させることができる。これにより首掛部６１は、首掛紐６１Ａの中央部分（以下、これを首掛紐中央部分と呼ぶ）６１ＡＫをユーザの首の後側に位置させて、その首掛紐中央部分６１ＡＫよりも一端側の部分（以下、これを首掛紐一端部と呼ぶ）６１ＡＭを右肩に沿わせ、かつ当該首掛紐中央部分６１ＡＫよりも他端側の部分（以下、これを首掛紐他端部と呼ぶ）６１ＡＮを左肩に沿わせて首掛紐固定部６１Ｂ及び松葉紐固定部６１Ｃを胸側に位置させるように、当該首掛紐６１Ａをユーザの首の後から胸側に亘って掛けさせることができるようになされている。
【００９９】
因みに、首掛紐６１Ａは、ユーザの首の後から胸側に亘って掛けられたとき、当該首掛紐６１Ａの裏面（以下、これを首掛紐裏面と呼ぶ）６１ＡＰをユーザの首の後側、右肩、左肩及び胸に接触させている。すなわち、首掛紐６１Ａは、当該首掛紐６１Ａの表面（以下、これを首掛紐表面と呼ぶ）６１ＡＱが見えるように、ユーザの首の後から胸側に亘って掛けられる。
【０１００】
また首掛部６１は、首掛紐６１Ａの首掛紐一端部６１ＡＭにおいて一端よりも首掛紐中央部分６１ＡＫ寄りに、２チャンネルステレオ用の右スピーカが収納された略偏平箱状の筐体６２を有する右スピーカ部６３が配置されている。さらに首掛部６１は、首掛紐６１Ａの首掛紐他端部６１ＡＮにおいて他端よりも首掛紐中央部分６１ＡＫ寄りに、２チャンネルステレオ用の左スピーカが収納された略偏平箱状の筐体６４を有する左スピーカ部６５が配置されている。
【０１０１】
この場合、右スピーカ部６３及び左スピーカ部６５は、首掛紐６１Ａに対し、それぞれ筐体６２及び６４の天板６２Ａ及び６４Ａを、首掛紐表面６１ＡＱが向く方向と同一の方向へ向けて配置されている。また右スピーカ部６３及び左スピーカ部６５は、首掛紐６１Ａに対し当該首掛紐６１Ａに沿って移動可能なように保持させており、首掛紐６１Ａに対する配置位置を任意に調整させ得るようになされている。
【０１０２】
そして右スピーカ部６３は、首掛紐６１Ａがユーザの首の後から胸側に亘って掛けられたとき、そのユーザの右肩に載上され、その状態で筐体６２の天板６２Ａをユーザの右耳側に向けるようになされている。また左スピーカ部６５は、首掛紐６１Ａがユーザの首の後から胸側に亘って掛けられたとき、そのユーザの左肩に載上され、その状態で筐体６４の天板６４Ａをユーザの左耳側に向けるようになされている。
【０１０３】
ところでスピーカ装置６０には、携帯型再生装置と右スピーカ及び左スピーカとを電気的に接続するスピーカケーブル６６が設けられている。このスピーカケーブル６６は、ケーブル一端側が右スピーカ用の導電線と、左スピーカ用の導電線とが互いに絶縁された状態で被覆された一本のケーブルとして形成されている。そしてスピーカケーブル６６のケーブル一端には、これら２つの導電線に電気的に接続されたジャック６７が設けられている。
【０１０４】
また図１８に示すように、首掛部６１において首掛紐６１Ａの首掛紐裏面６１ＡＰには、首掛部一端部６１ＡＭの一端寄りに袋部（以下、これを一端側袋部と呼ぶ）６１ＡＲが設けられている。さらに首掛部６１において首掛紐６１Ａの首掛紐裏面６１ＡＰには、首掛部他端部６１ＡＮの他端寄りに袋部（以下、これを他端側袋部と呼ぶ）６１ＡＳが設けられている。
【０１０５】
これに加えてスピーカケーブル６６のケーブル他端側は、右スピーカ用の導電線と左スピーカ用の導電線とが個別に被覆されて形成された右スピーカ用ケーブル６６Ａと左スピーカ用ケーブル６６Ｂとに分岐されている。そして右スピーカ用ケーブル６６Ａは、首掛紐６１Ａの首掛紐一端部６１ＡＭにおいて一端側から首掛紐裏面６１ＡＰと一端側袋部６１ＡＲとの間に通された後、右スピーカ部６３まで引き回されて右スピーカに電気的に接続されている。
【０１０６】
また左スピーカ用ケーブル６６Ｂは、首掛紐６１Ａの首掛紐他端部６１ＡＮにおいて他端側から首掛紐裏面６１ＡＰと他端側袋部６１ＡＳとの間に通された後、左スピーカ部６５まで引き回されて左スピーカに電気的に接続されている。このようにして首掛部６１は、首掛紐６１Ａに右スピーカ用ケーブル６６Ａ及び左スピーカ用ケーブル６６Ｂの一部を外部から隠すように保持して、当該右スピーカ用ケーブル６６Ａ及び左スピーカ用ケーブル６６Ｂが指等に引っ掛り邪魔になることを極力回避している。
【０１０７】
ところで、右スピーカ部６３及び左スピーカ部６５は、同様に構成されている。従って、以下には、右スピーカ部６３の構成について説明し、左スピーカ部６５の構成については説明を省略する。図１９に示すように、右スピーカ部６３は、上述したように略偏平箱状の筐体６２を有し、当該筐体６２の天板６２Ａには、複数の放音孔６２Ｂが碁盤の目状に穿設されている。また筐体６２には、対向する一方の側壁６２Ｃ及び他方の側壁６２Ｄの中央下側にそれぞれスリット状の首掛紐挿通穴６２Ｅが穿設されている。
【０１０８】
そして筐体６２には、首掛紐６１Ａが一方の側壁６２Ｃの首掛紐挿通穴から内部空間を通して他方の側壁６２Ｄの首掛紐挿通穴６２Ｅへと順に挿通されている。これにより筐体６２は、首掛紐６１Ａに対し右スピーカ部６３を当該首掛紐６１Ａに沿って移動可能なように保持させている。
【０１０９】
さらに筐体６２には、例えばユーザの右肩に載上されたときに右方向を向く（すなわち、ユーザの首から離れて位置する）壁面６２Ｆに円形のケーブル挿通穴６２Ｇが穿設されている。そして右スピーカ用ケーブル６６Ａの先端部は、そのケーブル挿通穴６２Ｇに挿通されて筐体６２の内部に引き込まれている。
【０１１０】
ここで図２０に示すように、筐体６２は、内部に天板６２Ａと平行な仕切板６２Ｈが設けられ、その仕切板６２Ｈを介して上下２層の上側内部空間７０及び下側内部空間７１が形成されている。この場合、筐体６２は、上側内部空間７０に右スピーカ７２が振動板を天板６２Ａに対向させて収納されている。また、上述のケーブル挿通穴６２Ｇは、上側内部空間７０に通じている。
【０１１１】
従って外部からケーブル挿通穴６２Ｇに挿通された右スピーカ用ケーブル６６Ａの先端部は、上側内部空間７０に引き込まれて右スピーカ７２に電気的に接続されている。これにより筐体６２は、右スピーカ７２から振動板を介して再生音声を放音させ得ると共に、当該放音された再生音声を天板６２Ａの複数の放音孔６２Ｂを介して外部に出力させ得るようになされている。
【０１１２】
因みにケーブル挿通穴６２Ｇには、右スピーカ用ケーブル６６Ａの挿入部分が固定されている。これにより筐体６２は、首掛紐６１Ａに沿って移動したとき等に、右スピーカ７２に対する右スピーカ用ケーブル６６Ａの接続部分が引っ張られて断線することを防止している。
【０１１３】
また、上述の一方の側壁６２Ｃの首掛紐挿通穴６２Ｊ及び他方の側壁６２Ｄの首掛紐挿通穴６２Ｅは、筐体６２内の下側内部空間７１に通じている。これにより下側内部空間７１には、一方の側壁６２Ｃの首掛紐挿通穴６２Ｊ及び他方の側壁６２Ｄの首掛紐挿通穴６２Ｅを介して首掛紐６１Ａが挿通されている。
【０１１４】
さらに下側内部空間７１の底面となる筐体６２の底板内面６２Ｋには、長方形の開口部６２Ｍが形成されている。そして筐体６２には、その開口部６２Ｍを塞ぐように略Ｌ字状の紐止部７３が取り付けられている。
【０１１５】
この場合、図２１に示すように、紐止部７３は、板状の紐止本体７３Ａが開口部６２Ｍの幅よりもわずかに狭い幅を有し、当該紐止本体７３Ａの長手方向（以下、これを本体長手方向と呼ぶ）の一端（以下、これを本体一端と呼ぶ）に略Ｕ字状の切欠７３ＡＸが形成されている。また紐止本体７３Ａの一面７３ＡＹにおいて本体長手方向の他端（以下、これを本体他端と呼ぶ）部に設けられた紐押え７３Ｂは、略楔形状に形成され、傾斜している壁面７３ＢＸを紐止本体７３Ａの本体一端側に向けている。さらに紐押え７３Ｂの根本部分には、紐止本体７３Ａの幅方向（以下、これを本体幅方向と呼ぶ）と平行に回動軸７３Ｃが設けられている。
【０１１６】
一方、図２２に示すように、筐体６２の底板内面６２Ｋには、開口部６２Ｍの長手方向（以下、これを開口長手方向と呼ぶ）の一端（以下、これを開口一端と呼ぶ）側の両角の縁部に、当該両角よりも開口部６２Ｍ内に張り出す一対の紐止突当板６２Ｐ及び６２Ｑが設けられている。また筐体６２の底板内面６２Ｋには、開口部６２Ｍの幅方向（以下、これを開口幅方向と呼ぶ）の両縁部で、かつ開口長手方向の他端（以下、これを開口他端と呼ぶ）側に、一対の軸受部６２Ｒ及び６２Ｓが突設されている。
【０１１７】
そして紐止部７３は、回動軸７３Ｃが筐体６２の一対の軸受部６２Ｒ及び６２Ｓに軸支されている。これにより紐止部７３は、回動軸７３Ｃを中心にして、紐止本体７３Ａにより開口部６２Ｍを閉塞する閉方向、及び当該開口部６２Ｍを開放する開方向へ回動し得るようになされている。
【０１１８】
実際に紐止部７３は、閉方向へ回転すると、紐止本体７３Ａの一面７３ＡＹの本体一端部（すなわち、一面７３ＡＹにおいて本体一端側の両角の部分）を一対の紐止突当板６２Ｐ及び６２Ｑに突き当てて当該紐止本体７３Ａにより開口部６２Ｍを閉じる。すなわち、紐止部７３は、紐止本体７３Ａにより開口部６２Ｍを閉じたとき、紐押え７３Ｂを筐体６２の下側内部空間７１に入り込ませている。因みに紐止部７３は、開口部６２Ｍを閉じた場合、紐止本体７３Ａの他面７３ＡＺ（図２０）を筐体６２の底板外面６２Ｔ（図２０）よりも外側に突出させないようにし、紐止本体７３Ａの厚みが選定されている。
【０１１９】
また紐止部７３は、開口部６２Ｍを閉じた場合、紐押え７３Ｂの頂上７３ＢＹを筐体６２内の仕切板６２Ｈに最も近づけて、当該頂上７３ＢＹと仕切板６２Ｈとの間に、首掛紐６１Ａの厚みよりも狭い隙間を形成するように紐押え７３Ｂの高さ（すなわち、紐止本体７３Ａの一面７３ＡＹから頂上７３ＢＹまでの長さ）が選定されている。これにより紐止部７３は、開口部６２Ｍを閉じた場合、筐体６２内の仕切板６２Ｈと紐押え７３Ｂの頂上７３ＢＹとの間に首掛紐６１Ａを押し潰すように挟み込み、かくして首掛紐６１Ａに対し右スピーカ部６３を移動しないように固定する。
【０１２０】
さらに紐止部７３には、紐押え７３Ｂの根本部分に設けられた回動軸７３Ｃが、当該紐押え７３Ｂの頂上７３ＢＹから紐止本体７３Ａの一面７３ＡＹへの垂線よりも本体一端寄りに位置するように設けられている。これにより紐止部７３は、開口部６２Ｍを閉じたとき、回動軸７３Ｃの真上で首掛紐６１Ａを押し潰して挟み込む（すなわち、頂上７３ＢＹから紐止本体７３Ａの一面７３ＡＹへの垂線上に回動軸７３Ｃを位置させる）場合に比べて、あたかも閉方向に回転するように付勢した状態で仕切板６２Ｈと紐押え７３Ｂの頂上７３ＢＹとの間に首掛紐６１Ａを押し潰すように挟み込み、かくして首掛紐６１Ａに対する右スピーカ部６３の配置位置が容易にはずれないようになされている。
【０１２１】
さらに紐止部７３は、紐押え７３Ｂの頂上７３ＢＹ部分が弓形状に形成されている。これにより紐止部７３は、開口部６２Ｍを閉じて仕切板６２Ｈと紐押え７３Ｂの頂上７３ＢＹとの間に首掛紐６１Ａを押し潰すように挟み込むとき、当該首掛紐６１Ａに傷を付けたりして破損させることを防止している。
【０１２２】
一方、図２３に示すように、紐止部７３は、開口部６２Ｍを閉じた状態で切欠７３ＡＸに指等が掛けられて紐止本体７３Ａの本体一端側が開口一端から引き離すように引っ張られると、回動軸７３Ｃを中心にして開方向へ回転する。この際、紐止部７３は、紐押え７３Ｂの頂上７３ＢＹを筐体６２内の仕切板６２Ｈから離間させ、首掛紐６１Ａの挟み込みを解除する。これにより紐止部７３は、首掛紐６１Ａに沿って筐体６２を移動させることができる。
【０１２３】
そして紐止部７３は、首掛紐６１Ａの所望の配置位置に筐体６２が配置された状態で再び閉方向へ回転すると、仕切板６２Ｈと紐押え７３Ｂの頂上７３ＢＹとの間に首掛紐６１Ａを改めて挟み込む。これにより紐止部７３は、首掛紐６１Ａの所望の配置位置に右スピーカ部６３を固定する。このようにして紐止部７３は、首掛紐６１Ａに対する右スピーカ部６３の配置位置を任意に調整させることができる。
【０１２４】
ところで図１８に示すように、首掛紐６１Ａの首掛紐表面６１ＡＱには、首掛紐中央部分６１ＡＫの一端寄り及び他端寄りに、凸状の樹脂でなる一対の移動規制部７５Ａ及び７５Ｂが形成されている。また右スピーカ部６３の筐体６２に設けられた首掛紐挿通穴６２Ｊ及び６２Ｅは、そのスリット状の隙間が首掛紐６１Ａの厚みとほぼ等しく選定されている。従って首掛紐６１Ａは、一端側から他端側へ筐体６２が移動したとき、当該筐体６２の首掛紐挿通穴６２Ｊの縁部を移動規制部７５Ａに突き当てさせて、その移動を規制している。また首掛紐６１Ａは、他端側から一端側へ筐体６２が移動したとき、当該筐体６２の首掛紐挿通穴６２Ｅの縁部を一端側袋部６１ＡＲの口に突き当てさせて、その移動を規制している。
【０１２５】
このようにして首掛紐６１Ａは、首掛紐一端部６１ＡＭにおける右スピーカ部６３（すなわち、筐体６２）の移動範囲（すなわち、首掛紐６１Ａに対する右スピーカ部６３の配置位置の調整範囲）を規制している。これにより首掛紐６１Ａは、右スピーカ部６３の配置位置が調整可能ではあるものの、その右スピーカ部６３がユーザの首の後側に配置され、又は胸に位置するように配置されて右スピーカ７２の振動板が右耳側とは異なる方向を向き再生音声が聴き取り難くなることを回避することができる。
【０１２６】
因みに右スピーカ用ケーブル６６Ａの長さは、首掛紐６１Ａの一端から首掛紐一端部６１ＡＭに沿って首掛紐中央部分６１ＡＫの移動規制部７５Ａまでの長さよりも長く選定されている。また左スピーカ用ケーブル６６Ｂの長さは、首掛紐６１Ａの他端から首掛紐他端部６１ＡＮに沿って首掛紐中央部分６１ＡＫの移動規制部７５Ｂまでの長さよりも長く選定されている。これにより右スピーカ用ケーブル６６Ａ及び左スピーカ用ケーブル６６Ｂは、右スピーカ部６３及び左スピーカ部６５の筐体６２及び６４が首掛紐６１Ａに沿って移動規制部７５Ａ及び７５Ｂに突き当てられるまで移動しても、わずかに弛み、かくして導電線や被膜が引っ張られた状態になり負荷がかかって破断することを回避している。
【０１２７】
また図２４に示すように、首掛紐固定部６１Ｂの他端には、円形の嵌合穴６１ＢＡが設けられている。この嵌合穴６１ＢＡの内壁６１ＢＢには、底面６１ＢＣよりもわずかに開口６１ＢＤ寄りに一対の円弧状の係合突起６１ＢＥ及び６１ＢＦが互いの内面を対向させて設けられている。また嵌合穴６１ＢＡの内壁６１ＢＢには、一対の係合突起６１ＢＥ及び６１ＢＦよりも開口６１ＢＤ寄りに、一対の嵌合凸部６１ＢＧ及び６１ＢＨが設けられている。
【０１２８】
これに対し松葉紐固定部６１Ｃの一端部には、当該松葉紐固定部６１Ｃの他端側よりも径が小さい円柱状の挿入部６１ＣＡが設けられている。そして挿入部６１ＣＡの側面６１ＣＡＸには、根本寄り（すなわち、松葉紐固定部６１Ｃの他端側と接合される他端部）に、首掛紐固定部６１Ｂの嵌合凸部６１ＢＧ及び６１ＢＨに対応する一対の嵌合凹部６１ＣＡＹが設けられている。
【０１２９】
また挿入部６１ＣＡの一端には、当該挿入部６１ＣＡよりも径の小さい円柱状の係合部６１ＣＢが設けられている。そして係合部６１ＣＢの側面６１ＣＢＸの一端部には、一対の円弧状の係合突起６１ＣＢＹ及び６１ＣＢＺが互いの外面を外側に向け、かつ当該係合部６１ＣＢの一端面の中心に対して対称な位置に設けられている。
【０１３０】
この場合、挿入部６１ＣＡの外径は、首掛紐固定部６１Ｂの嵌合穴６１ＢＡの内径よりも僅かに小さくなるように選定されている。また挿入部６１ＣＡの長さは、首掛紐固定部６１Ｂの嵌合穴６１ＢＡの開口６１ＢＤから係合突起６１ＢＥ及び６１ＢＦにおける開口６１ＢＤ側の壁面（以下、これを開口側壁面と呼ぶ）までの深さとほぼ等しくなるように選定されている。
【０１３１】
さらに係合部６１ＣＢの外径は、首掛紐固定部６１Ｂの一対の係合突起６１ＢＥ及び６１ＢＦの内面で描かれる円の直径よりも僅かに小さくなるように選定されている。さらにまた係合部６１ＣＢの長さは、首掛紐固定部６１Ｂの嵌合穴６１ＢＡの底面から係合突起６１ＢＥ及び６１ＢＦの開口側壁面までの深さとほぼ等しくなるように選定されている。
【０１３２】
これにより松葉紐固定部６１Ｃは、一対の係合突起６１ＣＢＹ及び６１ＣＢＺを首掛紐固定部６１Ｂの一対の係合突起６１ＢＥ及び６１ＢＦの間に通すように、当該首掛紐固定部６１Ｂの嵌合穴６１ＢＡに一端側（すなわち、係合部６１ＣＢ及び挿入部６１ＣＡ）が挿入されると、当該係合部６１ＣＢの一端面を嵌合穴６１ＢＡの底面６１ＢＣに当接（又は、近接）させる。この状態で松葉紐固定部６１Ｃは、その中心軸を中心にして首掛紐固定部６１Ｂに対し相対的に回転すると、当該首掛紐固定部６１Ｂの嵌合穴６１ＢＡ内において、底面６１ＢＣと一対の係合突起６１ＢＥ及び６１ＢＦとの間に、係合部６１ＣＢの一対の係合突起６１ＣＢＹ及び６１ＣＢＺを潜り込ませて係合させる。
【０１３３】
また松葉紐固定部６１Ｃは、このように首掛紐固定部６１Ｂに対し相対的に回転したとき、当該首掛紐固定部６１Ｂの嵌合凸部６１ＢＧ及び６１ＢＨが対応する嵌合凹部６１ＣＡＹに嵌合する。これにより松葉紐固定部６１Ｃは、首掛紐固定部６１Ｂの嵌合穴６１ＢＡ内において、底面６１ＢＣと一対の係合突起６１ＢＥ及び６１ＢＦとの間に、係合部６１ＣＢの一対の係合突起６１ＣＢＹ及び６１ＣＢＺを潜り込ませて係合させた状態を維持し、かくして嵌合穴６１ＢＡから一端側（すなわち、係合部６１ＣＢ及び挿入部６１ＣＡ）が抜け落ちないようにしている。
【０１３４】
そして松葉紐固定部６１Ｃは、図１０について上述した携帯型再生装置３０に取り付けられるようになされており、その取り付けの際等に首掛紐固定部６１Ｂから取り外すことができるようになされている。すなわち、図１０との対応部分に同一符号を付して示す図２５において上述した携帯型再生装置３０は、本体部３１の側面３１Ｃの一端側に松葉紐取付部７６が設けられている。この松葉紐取付部７６は、長穴を有し、その長穴を横切るように梁が設けられている。これにより松葉紐取付部７６は、長穴に対し梁を境にして２つの開口部が形成されている。
【０１３５】
そして図２６に示すように、携帯型再生装置３０は、松葉紐６１Ｄの輪の部分が、松葉紐取付部７６において一方の開口部から長穴に差し込まれて梁の下を潜り、他方の開口部から引き出された後、当該輪の中に松葉紐固定部６１Ｃが通されて松葉紐６１Ｄが引き絞られることにより、その松葉紐６１Ｄが松葉紐取付部７６の梁にくくりつけられている。このように松葉紐固定部６１Ｃは、松葉紐取付部７６に松葉紐６１Ｄがくくりつけられるときに、首掛紐固定部６１Ｂから取り外されることで、当該松葉紐６１Ｄの輪の中に、首掛紐６１Ａや右スピーカ部６３及び左スピーカ部６５を何ら通させることなく、当該松葉紐取付部７６に対し松葉紐６１Ｄを容易にくくりつけさせている。
【０１３６】
そして松葉紐固定部６１Ｃは、松葉紐６１Ｄが携帯型再生装置３０の松葉紐取付部７６にくくりつけられた状態で首掛紐固定部６１Ｂに取り付けられることで、首掛部６１に対し携帯型再生装置３０を保持させることができる。またスピーカケーブル６６は、ケーブル一端側の１本のケーブルとして形成された部分の長さが、首掛紐固定部６１Ｂ、松葉紐固定部６１Ｃ及び松葉紐６１Ｄ全体の長さよりも十分に長く選定されている。
【０１３７】
これによりスピーカケーブル６６は、松葉紐６１Ｄにくくりつけられた携帯型再生装置３０が、その状態で首掛部６１からぶら下げられた場合でも、全体を弛ませたまま、ジャック６７を携帯型再生装置３０の差込端子３４に差し込ませた状態を維持させることができる。すなわち、スピーカケーブル６６は、首掛部６１に携帯型再生装置３０がぶら下げられた場合、首掛紐６１Ａに対する右スピーカ部６３及び左スピーカ部６５の配置位置にかかわらずに全体を弛ませ、かくして導電線や被膜が引っ張られた状態になり負荷がかかって破断することを回避している。
【０１３８】
そして図２７に示すように、スピーカ装置６０は、首掛部６１において首掛紐６１Ａの輪が広げられユーザの頭部が通されると、当該首掛紐６１Ａの首掛紐中央部分６１ＡＫをユーザの首の後側に位置させると共に、首掛紐一端部６１ＡＭを右肩に沿わせ、かつ首掛紐他端部６１ＡＮを左肩に沿わせて首掛紐固定部６１Ｂ及び松葉紐固定部６１Ｃを胸側に位置させるように、その首掛部６１をユーザの首の後から胸側に亘って掛けさせることができる。またスピーカ装置６０は、この際、ユーザの右肩の所望位置に右スピーカ部６３を載上させて右スピーカ７２の振動板をユーザの右耳側に向けると共に、当該ユーザの左肩の所望位置に左スピーカ部６５を載上させて左スピーカの振動板をユーザの左耳側に向けることができる。
【０１３９】
因みに首掛部６１は、ユーザの首の後から胸側に亘って掛けられる前に、松葉紐固定部６１Ｃを介して携帯型再生装置３０を保持しておくことができる。また首掛部６１は、ユーザの首の後から胸側に亘って掛けられた状態で、首掛紐固定部６１Ｂから松葉紐固定部６１Ｃを一旦取り外し、携帯型再生装置３０に松葉紐固定部６１Ｃの松葉紐６１Ｄがくくりつけられた後、その松葉紐固定部６１Ｃを首掛紐固定部６１Ｂに取り付けることもできる。
【０１４０】
そしてスピーカ装置６０は、首掛部６１がユーザの首の後から胸側に亘って掛けられた状態で、その首掛部６１に携帯型再生装置３０を保持してぶら下げると、当該携帯型再生装置３０の自重によって首掛部６１全体を首の後側から胸側へ引っ張るように付勢することができる。これによりスピーカ装置６０は、ユーザが首掛部６１を首の後から胸側に亘って掛けたまま動き回っても、その首掛部６１と共に右スピーカ部６３や左スピーカ部６５がユーザの右肩及び左肩の上からずれることを防止することができる。
【０１４１】
以上の構成において、スピーカ装置６０は、首掛部６１の首掛紐６１Ａにおいて一端よりも首掛紐中央部分６１ＡＫ寄り（すなわち、首掛紐一端部６１ＡＭにおいて一端側袋部６１ＡＲの口から移動規制部７５Ａまでの途中）に略偏平箱状の右スピーカ部６３を配置する。またスピーカ装置６０は、首掛部６１の首掛紐６１Ａにおいて他端よりも首掛紐中央部分６１ＡＫ寄り（すなわち、首掛紐他端部６１ＡＮにおいて他端側袋部６１ＡＳの口から移動規制部７５Ｂまでの途中）に略偏平箱状の左スピーカ部６５を配置する。
【０１４２】
この状態でスピーカ装置６０は、首掛部６１の首掛紐６１Ａの輪にユーザの頭部が通されると、当該首掛紐６１Ａの首掛紐中央部分６１ＡＫをユーザの首の後側に位置させると共に、首掛紐一端部６１ＡＭを右肩に沿わせ、かつ首掛紐他端部６１ＡＮを左肩に沿わせて首掛紐６１Ａの両端側の首掛紐固定部６１Ｂ及び松葉紐固定部６１Ｃを胸側に位置させるように、当該首掛部６１をユーザの首の後から胸側に亘って掛けさせる。そしてスピーカ装置６０は、首掛部６１の首掛紐一端部６１ＡＭに配置した右スピーカ部６３を右肩に載上すると共に、首掛紐他端部６１ＡＮに配置した左スピーカ部６５を左肩に載上する。
【０１４３】
従ってスピーカ装置６０は、首掛部６１がユーザの首の後から胸側に亘って掛けられた場合、右スピーカ部６３及び左スピーカ部６５をユーザの右肩及び左肩に載上して体に密着させることができる。その結果、スピーカ装置６０は、首掛部６１が首の後から胸側に亘って掛けられたまま、ユーザにより腕や頭部等が動かされても右スピーカ部６３及び左スピーカ部６５に手や顎等がぶつかって動作の邪魔になることを回避することができる。
【０１４４】
ところでスピーカ装置６０についても、上述した第１の実施の形態によるスピーカ装置１と同様に、ユーザに対しヘッドホンやイヤホンのように耳を塞ぐようにして再生音声を聴かせるわけではなく、右肩及び左肩に載上した右スピーカ部６３及び左スピーカ部６５から再生音声を放音して聴かせている。このためスピーカ装置６０は、ジョギング中や自転車による走行中に携帯型再生装置３０と共に使用されても、再生音声と共に、周囲の自動車の走行音やクラクション、緊急車両のサイレン等の周囲音も的確に聴かせることができ、ユーザの安全が損なわれることを防止することができる。
【０１４５】
以上の構成によれば、スピーカ装置６０は、ユーザの首の後から胸側に亘って掛けられる首掛部６１において首掛紐６１Ａの一端よりも首掛紐中央部分６１ＡＫ寄りに略偏平箱状の右スピーカ部６３を配置すると共に、当該首掛紐６１Ａの他端よりも首掛紐中央部分６１ＡＫ寄りに略偏平箱状の左スピーカ部６５を配置し、その首掛部６１がユーザの首の後から胸側に亘って掛けられたときに右スピーカ部６３を右肩に載上すると共に左スピーカ部６５を左肩に載上するようにした。これによりスピーカ装置６０は、上述した第１の実施の形態によるスピーカ装置１と同様の効果を得ることができる。
【０１４６】
ところでスピーカ装置６０は、右スピーカ部６３及び左スピーカ部６５を略偏平箱状の筐体６２及び６４を元に構成するようにした。すなわちスピーカ装置６０は、首掛部６１がユーザの首の後から胸側に亘って掛けられて右スピーカ部６３及び左スピーカ部６５が右肩及び左肩に載上された場合、その右肩及び左肩から上方向に突出する右スピーカ部６３及び左スピーカ部６５の高さを極力低くしている。ただしスピーカ部６０では、首掛部６１に対し、帯状のストラップでなる首掛紐６１Ａを設け、当該帯状の首掛紐６１Ａの筐体６２及び６４内に通している。
【０１４７】
従ってスピーカ装置６０では、上述した第１の実施の形態に比べて、右スピーカ部６３及び左スピーカ部６５の筐体６２及び６４内に通す首掛部６１を首掛紐６１Ａとして薄くしている分、当該右スピーカ部６３及び左スピーカ部６５の高さ（すなわち、筐体６２及び６４の高さ）を低くしている。よってスピーカ装置６０は、首掛部６１がユーザの首の後から胸側に亘って掛けられたまま、ユーザにより頭部が動かされても右スピーカ部６３及び左スピーカ部６５に顎がぶつかることを確実に回避することができる。
【０１４８】
またスピーカ装置６０も、上述した第１の実施の形態の場合と同様に、右スピーカ部６３及び左スピーカ部６５の略偏平箱状の筐体６２及び６４に、天板６２Ａ及び６４Ａに振動板を対向させて右スピーカ７２及び左スピーカを収納している。そしてスピーカ装置６０は、首掛部６１がユーザの首の後から胸側に亘って掛けられた場合に、右肩及び左肩に筐体６２及び６４の底板外面を当接させるような姿勢で、その首掛部６１に右スピーカ部６３及び左スピーカ部６５を配置するようにした。従ってスピーカ装置６０は、首掛部６１をユーザの首の後から胸側に亘って掛けさせるだけで、右スピーカ７２及び左スピーカの振動板を右耳側及び左耳側へ向けて右スピーカ部６３及び左スピーカ部６５を右肩及び左肩に載上させることができる。
【０１４９】
さらにスピーカ装置６０は、首掛部６１の首掛紐６１Ａに配置する右スピーカ部６３及び左スピーカ部６５の配置位置をユーザに対し任意に調整させ得るようにした。従ってスピーカ装置６０は、ユーザに対し首掛紐６１Ａに対する右スピーカ部６３及び左スピーカ部６５の配置位置を任意に調整させることで、種々の体型のユーザに対し、首掛紐６１Ａが首の後から胸側に亘って掛けられたときに、的確に右スピーカ部６３を右肩に載上させて右スピーカ７２の振動板を右耳側に向けさせることができると共に、左スピーカ部６５を左肩に載上させて左スピーカの振動板を左耳側に向けさせることができる。よってスピーカ装置６０は、右スピーカ７２及び左スピーカから放音させる再生音声がユーザにとって聴き取り難くなることを極力回避することができる。
【０１５０】
なお上述した第２の実施の形態においては、右スピーカ部６３及び左スピーカ部６５において筐体６２及び６４の底板外面には何ら設けないようにした場合について述べたが、本発明はこれに限らず、図２８に示すように、右スピーカ部６３及び左スピーカ部６５の筐体６２及び６４の底板外面に対し、着衣の素材との摩擦力が比較的大きいゴム等で形成されたシート状の滑止部７８を、紐止部７３の紐止本体７３Ａの他面７３ＡＺを露出させるように設けるようにしても良い。かかる構成のスピーカ装置６０は、首掛部６１がユーザの首の後から胸側に亘って掛けられて使用されるとき、右スピーカ部６３を筐体６２の底板外面の滑止部７８を着衣に接触させて右肩に載上させると共に、左スピーカ部６５も筐体６４の底板外面の滑止部７８を着衣に接触させて左肩に載上させることができる。このためスピーカ装置６０は、使用中にユーザが動き回っても、着衣と滑止部７８との間の比較的大きな摩擦力により、右スピーカ部６３及び左スピーカ部６５をユーザの右肩及び左肩の上からずれ難くすることができる。
【０１５１】
また上述した第２の実施の形態においては、首掛部６１において首掛紐６１Ａの首掛紐一端部６１ＡＭに１つの右スピーカ部６３を配置して、その配置位置を調整し得るようにすると共に、首掛紐他端部６１ＡＮに１つの左スピーカ部６５を配置して、その配置位置を調整し得るようにした場合について述べたが、本発明はこれに限らず、首掛部６１において首掛紐６１Ａの首掛紐一端部６１ＡＭ及び又は首掛紐他端部６１ＡＮにそれぞれ異なるチャンネルの音声を出力する２個以上のスピーカ部を配置して、これらの配置位置を上述と同様に調整し得るようにしても良い。
【０１５２】
ここで、かかる構成のスピーカ装置の１つについて以下に説明する。すなわち、図１７との対応部分に同一符号を付した図２９に示すように、かかる構成のスピーカ装置８０では、例えば首掛部６１において首掛紐６１Ａの首掛紐一端部６１ＡＭに４チャンネルサラウンドの２つの右スピーカがそれぞれ１個ずつ収納された右スピーカ部６３及び８１を配置して、その配置位置を調整し得るようにすると共に、首掛紐他端部６１ＡＮに４チャンネルサラウンドの２つの左スピーカがそれぞれ１個ずつ収納された左スピーカ部６５及び８２を配置して、その配置位置を調整し得るようにしている。このようなスピーカ装置８０では、合計４つの右スピーカ部６３及び８１並びに左スピーカ部６５及び８２によりユーザの頭部の周囲に立体音響環境を構築して再生音声を聴かせることができる。因みにスピーカ装置６０及び８０では、例えば首掛紐６１Ａの首掛紐中央部分６１ＡＫにも低音を出力するスピーカ部を配置して３又は５チャンネルのサランドシステムを構築することもできる。
【０１５３】
さらに上述した第２の実施の形態においては、首掛部６１において首掛紐６１Ａの首掛紐一端部６１ＡＭに配置した右スピーカ部６３の配置位置を調整し得るようにすると共に、首掛紐他端部６１ＡＮに配置した左スピーカ部６５の配置位置も調整し得るようにした場合について述べたが、本発明はこれに限らず、首掛部６１において首掛紐６１Ａの首掛紐一端部６１ＡＭ及び首掛紐他端部６１ＡＮに対しそれぞれ１又は複数のスピーカ部を配置して配置位置を調整し得ないように固定したままにしても良いし、首掛紐一端部６１ＡＭ及び首掛紐他端部６１ＡＮのいずれか一方にのみ例えばアナログスピーカが収納された筐体を有する１個のスピーカ部を配置して固定したままにし、又は配置位置を調整可能に配置するようにしても良い。
【０１５４】
かかる構成のスピーカ装置のように首掛部６１において首掛紐６１Ａの首掛紐一端部６１ＡＭ及び又は首掛紐他端部６１ＡＮにスピーカ部を配置して固定したままにする場合には、例えば首掛紐６１Ａの長さやスピーカ部の配置位置が異なる首掛部６１を複数種類用意しておき、ユーザに首掛部６１を選定させるようにしても良い。またかかる構成の場合、首掛部６１において首掛紐６１Ａの首掛紐一端部６１ＡＭ及び又は首掛紐他端部６１ＡＮにスピーカ部を配置して固定したままにするものの、その首掛紐６１Ａの例えば首掛紐中央部分６１ＡＫを伸縮させて長さを調整可能にすることで、ユーザの右肩及び又は左肩に対するスピーカ部の載上位置を調整させるようにしても良い。これにより、かかる構成のスピーカ装置では、ユーザに対し右肩及び又は左肩にスピーカ部を的確に載上させて使用させることができる。
【０１５５】
さらに上述した第２の実施の形態においては、首掛部６１に対し携帯型再生装置３０を保持してぶら下げるようにした場合について述べたが、本発明はこれに限らず、首掛部６１において首掛紐固定部６１Ｂ及び松葉紐固定部６１Ｃ側にクリップを設け、首掛部６１がユーザの首の後から胸側に亘って掛けられたときに、そのクリップにより着衣を挟持させるようにしても良い。
【０１５６】
さらに上述した第２の実施の形態においては、スピーカ装置６０に対しスピーカケーブル６６により携帯型再生装置３０を有線接続するようにした場合について述べたが、本発明はこれに限らず、スピーカ装置６０の右スピーカ部６３及び左スピーカ部６５内に受信部を収納して、無線通信機能を有する携帯型再生装置（又は据置型の再生装置）と無線接続することにより、当該携帯型再生装置（又は据置型の再生装置）から無線で送信される音声データを受信部によって受信して再生音声として右スピーカ７２及び左スピーカから放音させるようにしても良い。ところでスピーカ装置６０と携帯型再生装置との無線接続には、ＩＥＥＥ８０２．１１ａ／ｂ／ｇ／ｎ、Ｂｌｕｅｔｏｏｔｈ、ＷｉｒｅｌｅｓｓＵＳＢ等の如何なる無線通信方式に準じた無線接続部（すなわち、送信部及び受信部）を用いてもかまわない。因みに、かかる構成では、携帯型再生装置（又は据置型の再生装置）により音声データを復号等の再生処理を施してからスピーカ装置に無線で送信しても良いし、スピーカ装置に再生処理部を設けておき、携帯型再生装置（又は据置型の再生装置）から音声データを再生処理せずにスピーカ装置に無線で送信し、当該スピーカ装置で、その音声データを受信部によって受信して再生処理部により再生処理し、その結果得られた再生音声を右スピーカ７２及び左スピーカから放音させるようにしても良い。
【０１５７】
またスピーカ装置６０を携帯型再生装置３０と一体化するようにしても良い。ところでスピーカ装置６０を携帯型再生装置３０と一体化する場合、かかるスピーカ装置６０では、携帯型再生装置３０内のデータ記憶部や再生処理部等を、１又は複数のスピーカ部に単独で又は分散させて収納するようにしても良いし、首掛紐６１Ａの首掛紐中央部分６１ＡＫに箱状の首当部を設け、かかる首当部にデータ記憶部や再生処理部等を収納するようにしても良い。
【０１５８】
（３）他の実施の形態
なお上述した第１及び第２の実施の形態においては、本発明によるスピーカ装置を、図１乃至図２９について上述したスピーカ装置１、４６、５０、６０及び８０に適用するようにした場合について述べたが、本発明はこれに限らず、スピーカ部の筐体の底板を傾斜させて、ユーザの肩に載上されたときに天板をユーザの耳に向けるようなスピーカ装置や、据置型の再生装置、ラジオ受信機、テレビジョン受像機等と有線接続又は無線接続可能なスピーカ装置等のように、この他種々の構成のスピーカ装置に広く適用することができる。
【０１５９】
また上述した第１及び第２の実施の形態においては、本発明による携帯型音声出力装置を、図１乃至図２９について上述したスピーカ装置１、４６、５０、６０及び８０と携帯型再生装置３０とを一体化した携帯型音声出力装置に適用するようにした場合について述べたが、本発明はこれに限らず、スピーカ装置１、４６、５０、６０及び８０と携帯型ラジオ受信機とを一体化した（すなわち、スピーカ部や首当部にラジオ受信回路を収納した）携帯型音声出力装置のように、この他種々の構成の携帯型音声出力装置に広く適用することができる。
【０１６０】
さらに上述した第１及び第２の実施の形態においては、首の後から胸側に亘って掛けられる首掛部として、図１乃至図２９について上述した首掛部２、５１及び６０を適用するようにした場合について述べたが、本発明はこれに限らず、紐状のストラップでなる首掛紐を有する首掛部のように、この他種々の構成の首掛部を広く適用することができる。
【０１６１】
さらに上述した第１及び第２の実施の形態においては、首掛部の胸側に位置する一端及び又は他端よりも首の後側に位置する中央部分寄りに配置され、首掛部が首の後から胸側に亘って掛けられたときに肩に載上される１又は複数のスピーカ部として、図１乃至図２９について上述した右スピーカ部５、４７、５３、６３及び８１と、左スピーカ部７、４８、５４、６５及び８２とを適用するようにした場合について述べたが、本発明はこれに限らず、低音を出力するスピーカと高音を出力するスピーカとがまとめて収納された筐体を有するスピーカ部のように、この他種々の構成のスピーカ部を広く適用することができる。
【０１６２】
さらに上述した第１及び第２の実施の形態においては、首掛部に対するスピーカ部の配置位置を調整可能な位置調整部として、図１乃至図２９について上述した筐体４、６及び首掛部２並びに板ばね２２や、筐体６２、６４及び紐止部７３を適用するようにした場合について述べたが、本発明はこれに限らず、この他種々の構成の位置調整部を広く適用することができる。
【０１６３】
さらに上述した第１及び第２の実施の形態においては、首掛部にスピーカ部を当該首掛部に沿って移動可能に保持させる保持部として、図１乃至図２９について上述した筐体４、６、６２及び６４を適用するようにした場合について述べたが、本発明はこれに限らず、この他種々の構成の保持部を広く適用することができる。
【０１６４】
さらに上述した第１及び第２の実施の形態においては、保持部を介して首掛部の所望の配置位置に移動されたスピーカ部を当該所望の配置位置に固定する固定部として、図１乃至図２９について上述した首掛部２、５１及び６０と板ばね２２及び紐止部７３とを適用するようにした場合について述べたが、本発明はこれに限らず、この他種々の構成の固定部を広く適用することができる。
【産業上の利用可能性】
【０１６５】
本発明は、携帯型再生装置に接続されるスピーカ装置や、その携帯型再生装置とスピーカ装置とが一体化された携帯型音声出力装置に利用することができる。
【図面の簡単な説明】
【０１６６】
【図１】スピーカ装置の全体構成の第１の実施の形態を示す略線的斜視図である。
【図２】首掛部の一端側腕部の構成を示す略線的斜視図である。
【図３】首掛部の他端側腕部の構成を示す略線的斜視図である。
【図４】右スピーカ部の構成を示す略線的斜視図である。
【図５】右スピーカ部の内部構成を示す略線的断面図である。
【図６】首掛部に対する右スピーカ部の配置位置の調整の説明に供する略線的断面図である。
【図７】ケーブル保持部の構成を示す略線的斜視図である。
【図８】クリップの構成を示す略線的斜視図である。
【図９】スピーカ装置の装着時の説明に供する略線的斜視図である。
【図１０】スピーカ装置がユーザに装着された状態を示す略線的斜視図である。
【図１１】携帯型再生装置の構成を示す略線的斜視図である。
【図１２】携帯型再生装置の回路構成を示すブロック図である。
【図１３】滑止部の構成を示す略線的斜視図である。
【図１４】他の実施の形態によるスピーカ装置の構成（１）を示す略線的斜視図である。
【図１５】他の実施の形態によるスピーカ装置の構成（２）を示す略線的斜視図である。
【図１６】胴体部の構成を示す略線的上面図である。
【図１７】第２の実施の形態によるスピーカ装置の全体構成を示す略線的斜視図である。
【図１８】首掛紐の首掛紐裏面の構成を示す略線的斜視図である。
【図１９】右スピーカ部の構成を示す略線的斜視図である。
【図２０】右スピーカ部の内部構成を示す略線的断面図である。
【図２１】紐止部の構成を示す略線的斜視図である。
【図２２】筐体の底板内面の構成を示す略線的斜視図である。
【図２３】首掛紐に対する右スピーカ部の配置位置の調整の説明に供する略線的断面図である。
【図２４】首掛紐固定部及び松葉紐固定部の構成を示す略線的斜視図である。
【図２５】携帯型再生装置の松葉紐取付部の構成を示す略線的斜視図である。
【図２６】携帯型再生装置に対する松葉紐固定部の取り付けの説明に供する略線的斜視図である。
【図２７】スピーカ装置がユーザに装着された状態を示す略線的斜視図である。
【図２８】滑止部の構成を示す略線的斜視図である。
【図２９】他の実施の形態によるスピーカ装置の構成（３）を示す略線的斜視図である。
【符号の説明】
【０１６７】
１、４６、５０、６０、８０……スピーカ装置、２、５１、６１……首掛部、２Ａ、５１Ｃ……胴体部、２Ｂ、５１Ａ……一端側腕部、２Ｃ、５１Ｂ……他端側腕部、２Ｄ、２Ｈ……底面、２Ｅ……凹部、３……首当部、４、６、６２、６４……筐体、５、４７、５３、６３、８１……右スピーカ部、７、４８、５４、６５、８２……左スピーカ部、８、６６……スピーカケーブル、８Ａ、６６Ａ……右スピーカ用ケーブル、８Ｂ、６６Ｂ……左スピーカ用ケーブル、９、６７……ジャック、１０……ストラップ紐、１１……ケーブル保持部、１２……クリップ、２２……板ばね、２３、７２……右スピーカ、３０……携帯型再生装置、４１……データ記憶部、４２……再生処理部、４５、７８……滑止部、６１Ａ……首掛紐、６１ＡＫ……首掛紐中央部分、６１ＡＭ……首掛紐一端部、６１ＡＮ……首掛紐他端部、６１Ｂ……首掛紐固定部、６１Ｃ……松葉紐固定部、６１Ｄ……松葉紐、７３……紐止部。
【図１】
2008263374.tif 000003
【図２】
2008263374.tif 000004
【図３】
2008263374.tif 000005
【図４】
2008263374.tif 000006
【図５】
2008263374.tif 000007
【図６】
2008263374.tif 000008
【図７】
2008263374.tif 000009
【図８】
2008263374.tif 000010
【図９】
2008263374.tif 000011
【図１０】
2008263374.tif 000012
【図１１】
2008263374.tif 000013
【図１２】
2008263374.tif 000014
【図１３】
2008263374.tif 000015
【図１４】
2008263374.tif 000016
【図１５】
2008263374.tif 000017
【図１６】
2008263374.tif 000018
【図１７】
2008263374.tif 000019
【図１８】
2008263374.tif 000020
【図１９】
2008263374.tif 000021
【図２０】
2008263374.tif 000022
【図２１】
2008263374.tif 000023
【図２２】
2008263374.tif 000024
【図２３】
2008263374.tif 000025
【図２４】
2008263374.tif 000026
【図２５】
2008263374.tif 000027
【図２６】
2008263374.tif 000028
【図２７】
2008263374.tif 000029
【図２８】
2008263374.tif 000030
【図２９】
2008263374.tif 000031